(57)【要約】【課題】各プリント基板へのＩＤ設定を不要とし、コストを低減させる。【解決手段】例えば２チャンネルのピンアサインが各々対称に形成され、一端がメイン基板内導体と接続され、他端を長軸状とした信号接続用ピンを有し、基板中心に配設されたメイン基板用コネクタ２３０と、２チャンネルのピンアサインが各々対称に形成され、一端が小基板内導体と接続され、他端が前記長軸状のピンと接続される信号接続用ピンを有し、２枚の小基板２９０ａ，２９０ｂの基板中心に各々配設された小基板用コネクタ２４０と、各小基板内の導体を介して小基板用コネクタ２４０の信号接続用ピンのいずれか１チャンネルの信号接続用ピンに接続された外部通信用コネクタ７０とを備え、前記メイン基板から各々所定距離ずつ隔てて対向配設して積層する２枚の小基板２９０ａ，２９０ｂを、基板中心から基板の面方向に、互いに１８０°異なる方向に各々配設する。【選択図】図４
2017168476.tif 000002
【特許請求の範囲】
【請求項１】
プリント基板で構成されたメイン基板および小基板を接続する装置であって、
一端がメイン基板内導体と接続される信号接続用ピンをｎチャンネル分（ｎは２以上の正数）有し、ｎチャンネルのピンアサインは各々対称に形成され、前記信号接続用ピンと繋がるコネクタ接続部を有したメイン基板用コネクタと、
前記メイン基板用コネクタが基板中心に配設されるメイン基板と、
前記メイン基板から各々所定距離ずつ隔てて対向配設して積層されるｎ枚の小基板と、
前記各小基板の基板中心に各々配設され、一端が各小基板内導体と接続される信号接続用ピンをｎチャンネル分有し、ｎチャンネルのピンアサインは各々対称に形成され、当該小基板と対向するメイン基板用コネクタのコネクタ接続部か、又は当該小基板以外の小基板の小基板用コネクタのコネクタ接続部と接続されるコネクタ接続部を有した小基板用コネクタと、
前記各小基板の基板中心以外の部位に配設され、各小基板内の導体を介して前記小基板用コネクタの信号接続用ピンのいずれか１チャンネルの信号接続用ピンに接続された外部通信用コネクタとを備え、
前記ｎ枚の小基板は、基板中心から基板の面方向に、３６０°／ｎずつ異なる方向に各々配設されていることを特徴とするプリント基板の接続装置。
【請求項２】
前記メイン基板用コネクタは、一端がメイン基板内導体と接続される信号接続用ピンを有し、前記ピンのピンアサインは、２チャンネルのピンアサインがコネクタ中心を基準に点対称に形成され、前記信号接続用ピンの他端を長軸状に形成したコネクタ接続部を備えた１個のコネクタで構成され、
前記ｎ枚の小基板は第１および第２の小基板で構成され、各小基板には前記メイン基板用コネクタの信号接続用ピンの他端が挿通される貫通穴が設けられ、
前記小基板用コネクタは、一端が小基板内導体と接続される信号接続用ピンを有し、前記ピンのピンアサインは、２チャンネルのピンアサインがコネクタ中心を基準に点対称に形成され、該２チャンネルのうち一方のチャンネルのピンアサインは、前記メイン基板用コネクタの信号接続用ピンのいずれか一方のチャンネルのピンアサインと同一に構成され、
小基板用コネクタのコネクタ接続部は、前記メイン基板用コネクタの信号接続用ピンの他端が挿通可能に形成され、前記小基板用コネクタの信号接続用ピンの他端と前記メイン基板用コネクタの信号接続用ピンの他端とを接続する穴形状接続部を有し、
前記各外部通信用コネクタは、各小基板の導体を介して小基板用コネクタの一方のチャンネルの信号接続用ピンに接続され、
前記第１の小基板と第２の小基板は、基板中心から基板の面方向に互いに１８０°異なる配設方向に配設されていることを特徴とする請求項１に記載のプリント基板の接続装置。
【請求項３】
前記メイン基板用コネクタは、一端がメイン基板内導体と接続される信号接続用ピンを有した第１チャンネル用コネクタと、一端がメイン基板内導体と接続される信号接続用ピンを有した第２チャンネル用コネクタとを備え、
第１チャンネル用コネクタのピンアサインおよび第２チャンネル用コネクタのピンアサインがメイン基板の回転中心点を基準に点対称になるようにメイン基板に配設され、
前記第１チャンネル用コネクタおよび第２チャンネル用コネクタの基板配設面側と反対側の各端部には、前記信号接続用ピンの他端が各々接続される接触部がコネクタ接続部として各々形成されており、
前記ｎ枚の小基板は第１および第２の小基板で構成され、
前記各小基板の小基板用コネクタは、一端が、小基板の、メイン基板に対向する一方の面側に形成された導体と接続される信号接続用ピンを有した外部通信接続用コネクタ、および、一端が、小基板の前記一方の面側に形成された導体と接続される信号接続用ピンを有した中継用下側コネクタであって、該外部通信接続用コネクタのピンアサインと中継用下側コネクタのピンアサインが小基板の回転中心点を基準に点対称になるように、小基板の一方の面に各々配設された外部通信接続用コネクタおよび中継用下側コネクタと、各小基板の他方の面であって、前記中継用下側コネクタの配設位置と対応する位置に配設され、一端が小基板の他方の面側に形成された導体と接続される信号接続用ピンを有し、それらピンのピンアサインが中継用下側コネクタと同一のピンアサインに構成された中継用上側コネクタと、を備え、
前記外部通信接続用コネクタ、中継用下側コネクタおよび中継用上側コネクタの基板配設面側と反対側の各端部には、前記各信号接続用ピンの他端が各々接続された接触部がコネクタ接続部として各々形成されており、
前記第１および第２の小基板には、各一方の面に形成された、中継用下側コネクタの信号接続用ピンの各一端が接続される導体と、各他方の面に形成された、中継用上側コネクタの信号接続用ピンの各一端が接続される導体とを接続するスルーホール部が形成され、
前記各外部通信用コネクタは、各小基板内の導体を介して各外部通信接続用コネクタの信号接続用ピンに接続され、
前記第１の小基板と第２の小基板は、基板中心から基板の面方向に互いに１８０°異なる配設方向に配設されていることを特徴とする請求項１に記載のプリント基板の接続装置。
【請求項４】
前記メイン基板用コネクタは、一端がメイン基板内導体と接続される信号接続用ピンを有し、該ピンの他端を長軸状に形成してコネクタ接続部とした第１〜第ｎチャンネル用コネクタを備え、第１〜第ｎチャンネル用コネクタは、各々のピンアサインがメイン基板の回転中心点を基準に回転対称となるようにメイン基板に配設され、
前記ｎ枚の各小基板の、前記第１〜第ｎチャンネル用コネクタの配設位置と各々対応する位置には、前記第１〜第ｎチャンネル用コネクタの各信号接続用ピンの他端が挿通される貫通穴が各々設けられ、
前記小基板用コネクタは、前記第１〜第ｎチャンネル用コネクタのうちいずれか１つのコネクタに対応する小基板の位置に配設され、一端が小基板内導体と接続される信号接続用ピンを有し、前記ピンのピンアサインは前記第１〜第ｎチャンネル用コネクタのうちいずれか１つのコネクタのピンアサインと同一に形成され、
前記小基板用コネクタのコネクタ接続部は、前記第１〜第ｎチャンネル用コネクタのうちのいずれか１つのコネクタの信号接続用ピンの他端が挿通可能に形成され、前記小基板用コネクタの信号接続用ピンの他端と、前記第１〜第ｎチャンネル用コネクタのうちいずれか１つのコネクタの信号接続用ピンの他端とを接続する穴形状接続部を有し、
前記第１〜第ｎチャンネル用コネクタの各信号接続用ピンの長さは、接続対象の小基板に配設された小基板用コネクタのコネクタ接続部の穴形状接続部までの長さに各々形成され、
前記各外部通信用コネクタは、各小基板内の導体を介して小基板用コネクタの信号接続用ピンに接続されていることを特徴とする請求項１に記載のプリント基板の接続装置。
【請求項５】
前記メイン基板用コネクタは、一端がメイン基板内導体と接続される信号接続用ピンを有した第１〜第ｎチャンネル用コネクタを備え、
第１〜第ｎチャンネル用コネクタは、各々のピンアサインがメイン基板の回転中心点を基準に回転対称となるようにメイン基板に配設され、前記第１〜第ｎチャンネル用コネクタの基板配設面側と反対側の各端部には、前記信号接続用ピンの他端が各々接続される接触部がコネクタ接続部として各々形成されており、
前記各小基板の小基板用コネクタは、一端が、小基板のメイン基板に対向する一方の面側に形成された導体と接続される信号接続用ピンを有した１個の外部通信接続用コネクタ、および、一端が、小基板の前記一方の面側に形成された導体と接続される信号接続用ピンを各々有したｎ−１個の中継用下側コネクタであって、該１個の外部通信接続用コネクタおよびｎ−１個の中継用下側コネクタの各ピンアサインが、小基板の回転中心点を基準に回転対称となるように小基板の一方の面に配設された外部通信接続用コネクタおよび中継用下側コネクタと、各小基板の他方の面であって、前記ｎ−１個の中継用下側コネクタの配設位置と対応する位置に配設され、一端が、小基板の他方の面側に形成された導体と接続される信号接続用ピンを有し、それらピンのピンアサインはｎ−１個の中継用下側コネクタと同一のピンアサインに各々構成されたｎ−１個の中継用上側コネクタと、を備え、
前記１個の外部通信接続用コネクタ、ｎ−１個の中継用下側コネクタおよびｎ−１個の中継用上側コネクタの基板配設面側と反対側の各端部には、前記各信号接続用ピンの他端が各々接続された接触部がコネクタ接続部として各々形成されており、
前記各小基板には、各一方の面に形成された、ｎ−１個の中継用下側コネクタの信号接続用ピンの各一端が接続される導体と、各他方の面に形成された、ｎ−１個の中継用上側コネクタの信号接続用ピンの各一端が接続される導体とを接続するスルーホール部が形成され、
前記各外部通信用コネクタは、各小基板内の導体を介して各外部通信接続用コネクタの信号接続用ピンに接続されている
ことを特徴とする請求項１に記載のプリント基板の接続装置。
【請求項６】
前記メイン基板用コネクタは、一端がメイン基板内導体と接続される信号接続用ピンを有し、該ピンの他端を長軸状に形成してコネクタ接続部とした第１〜第ｎチャンネル用コネクタであって、第１〜第ｎチャンネル用コネクタは、各々のピンアサインがメイン基板の回転中心点を基準に回転対称となるように一体化されてメイン基板に配設され、
前記ｎ枚の各小基板の、前記第１〜第ｎチャンネル用コネクタの配設位置と各々対応する位置には、前記第１〜第ｎチャンネル用コネクタの各信号接続用ピンの他端が挿通される貫通穴が各々設けられ、
前記小基板用コネクタは、各小基板の中心に配設される各１個のコネクタ本体に、前記第１〜第ｎチャンネル用コネクタの配設位置と対応する位置に第１〜第ｎコネクタ領域が各々形成され、第１〜第ｎコネクタ領域には前記第１〜第ｎチャンネル用コネクタの各信号接続用ピンの他端が挿通される貫通穴が各々設けられ、第１〜第ｎチャンネル用コネクタのうちいずれか１つのコネクタに対応する前記コネクタ領域には、一端が小基板内の導体と接続される信号接続用ピンを有し、前記ピンのピンアサインは前記第１〜第ｎチャンネル用コネクタのうちいずれか１つのコネクタのピンアサインと同一に形成され、
前記小基板用コネクタのコネクタ接続部は、第１〜第ｎチャンネル用コネクタのうちいずれか１つのコネクタに対応する前記コネクタ領域に設けられ、前記小基板用コネクタの信号接続用ピンの他端と、前記第１〜第ｎチャンネル用コネクタのうちいずれか１つのコネクタの信号接続用ピンの他端とを接続する穴形状接続部を有し、
前記各外部通信用コネクタは、各小基板内の導体を介して小基板用コネクタの信号接続用ピンに接続されていることを特徴とする請求項１に記載のプリント基板の接続装置。
【請求項７】
前記メイン基板用コネクタは、一端がメイン基板内導体と接続される信号接続用ピンを有した第１〜第ｎチャンネル用コネクタであって、第１〜第ｎチャンネル用コネクタは、各々のピンアサインがメイン基板の回転中心点を基準に回転対称となるように一体化されてメイン基板に配設され、
前記第１〜第ｎチャンネル用コネクタの基板配設面側と反対側の各端部には、前記信号接続用ピンの他端が各々接続される接触部がコネクタ接続部として各々形成されており、
前記小基板用コネクタは、各小基板の、前記メイン基板と対向する一方の面の中心に配設される各１個のコネクタ本体に、一端が、小基板の一方の面側に形成された導体と接続される信号接続用ピンを有し、それらピンのピンアサインは前記第１〜第ｎチャンネル用コネクタと同一のピンアサインに構成され、
前記第１〜第ｎチャンネル用コネクタのうち、いずれか１つのコネクタに対応する領域を外部通信接続用コネクタ領域とし、それ以外のコネクタに対応する領域を中継用コネクタ領域とした小基板用下側コネクタと、
各小基板の他方の面の中心に配設される各１個のコネクタ本体に、一端が、小基板の他方の面側に形成された導体と接続される信号接続用ピンを有し、それらピンのピンアサインは前記第１〜第ｎチャンネル用コネクタと同一のピンアサインに構成され、
前記第１〜第ｎチャンネル用コネクタのうち、当該小基板の一方の面に配設された小基板用下側コネクタの中継用コネクタ領域に対応する領域を、中継用コネクタ領域とし、それ以外のコネクタに対応する領域を未接続用コネクタ領域とした小基板用上側コネクタとを備え、
前記小基板用下側コネクタの基板配設面側と反対側の各端部には、前記各信号接続用ピンの他端が各々接続された接触部がコネクタ接続部として各々形成され、
前記小基板用上側コネクタの基板配設面側と反対側の各端部には、前記未接続用コネクタ領域以外の中継用コネクタ領域の各信号接続用ピンの他端が各々接続された接触部がコネクタ接続部として各々形成され、
前記各小基板には、各一方の面に形成された、小基板用下側コネクタの信号接続用ピンの各一端が接続される導体と、各他方の面に形成された、小基板用上側コネクタの信号接続用ピンの各一端が接続される導体とを接続するスルーホール部が形成され、
前記各外部通信用コネクタは、各小基板内の導体を介して各小基板用下側コネクタの外部通信接続用コネクタ領域の信号接続用ピンに接続されている
ことを特徴とする請求項１に記載のプリント基板の接続装置。
【請求項８】
前記メイン基板には、回転中心点を基準として対称に取付け穴が形成され、
前記各小基板には、回転中心点を基準として対称であり、且つメイン基板の取付け穴と同一の位置に取付け穴が形成されていることを特徴とする請求項１ないし７のいずれか１項に記載のプリント基板の接続装置。
【発明の詳細な説明】
【技術分野】
【０００１】
本発明は、複数のプリント基板の構造的結合に係り、特にメインプリント基板上に同一回路の小プリント基板を２枚以上重ねた場合の基板間の電気的接続構造に関する。
【背景技術】
【０００２】
電子部品が搭載されるメイン制御基板とサブ基板の間で通信を行う装置において、サブ基板が多数存在するとき、製品の仕様や製品内の仕様用途に応じて必要なサブ基板の数が異なる場合がある。しかしこの場合でもメイン制御基板には、想定される最大のサブ基板数の通信回路を搭載する必要がある。
【０００３】
例えば図３３は、簡略化のためサブ基板を最大４枚とした装置構成を示し、メイン制御基板２１にはサブ基板２２ａ〜２２ｄの枚数と同一数の４つの通信回路２３ａ〜２３ｄが搭載されている。
【０００４】
具体的には、本発明が適用される製品の一例である特許文献１に記載のマルチレベル電力変換器において、特許文献１の図１のスイッチング素子Ｓ１〜Ｓ１２（ＩＧＢＴ）が搭載されたサブ基板と、メイン制御基板の間で光ケーブルを使用して通信を行う場合、製品の対応電圧によりＩＧＢＴの個数が変化するため、メイン制御基板には、想定される最大のＩＧＢＴ数の通信回路を搭載する必要がある。
【０００５】
この場合、以下の問題点がある。  
【０００６】
（１）通信回路が最大のサブ基板数必要なため、メイン制御基板が大型化する。
【０００７】
（２）通信回路の搭載部品は特に光通信を行う場合等に高額な部品を使用するため、メイン制御基板のコストを抑えるために、必要最低限の通信回路点数だけ部品を実装することが行われる。その場合、メイン制御基板を実装部品点数ごとに別の品番や代番で区別するなど管理コストがかかる。
【０００８】
この２点の問題を解決する方法としては、通信回路を小基板化し、必要な点数分の通信回路小基板をメイン制御基板の上に接続することで、メイン制御基板を共通化することが可能になり、前記（２）の問題が解決する。また、小基板を２枚以上積み重ねる構造を採ることで、メイン制御基板の小型化も可能になり、前記（１）の問題も解決する。
【０００９】
ここで、共通のメイン制御基板上に、通信回路を備えた小基板を２枚積層した従来装置の構成例を説明する。尚、本明細書中のメイン基板、小基板はすべてプリント基板であるものとする。
【００１０】
図３４は従来のメイン基板の基板間コネクタ３０周辺の回路図を表している。図３４において、信号名の最初の２文字のＴＸは送信信号を意味し、ＲＸは受信信号を意味する。信号名の３文字目のＡとＢは２枚重ねる小基板の識別用であり、信号のチャンネルを意味する。信号名の４文字目の＋と−は差動信号の正論理（＋）、負論理（−）の信号を意味する。
【００１１】
したがって、基板間コネクタ３０のピン（１〜１６）のピンアサインは、６，８ピンがＡチャンネルの送信信号（ＴＸＡ−，ＴＸＡ＋）に、５，７ピンがＢチャンネルの送信信号（ＴＸＢ−，ＴＸＢ＋）に、１２，１４がＡチャンネルの受信信号（ＲＸＡ−，ＲＸＡ＋）に、１１，１３ピンがＢチャンネルの受信信号（ＲＸＢ−，ＲＸＢ＋）に各々割り振られている。
【００１２】
信号が低速でメイン基板と小基板の信号を差動伝送にする必要が無い場合は、シングルエンド伝送とし、＋か−のどちらか１本の接続で片側の配線は不要である。
【００１３】
小基板へ供給する電源（ＶＣＣ）はコネクタの端に並べる事が一般的である（１，２ピン）。ＧＮＤは信号を安定化させるため、送受信信号の間に一定間隔で配置する事が一般的である（３，４，９，１０，１５，１６ピン）。但し、ピンアサインについては特に決まっていないため、自由に配置して良い。
【００１４】
図３５はメイン基板の上に搭載される小基板の回路図を表している。図３５において、小基板の基板間コネクタ４０のピンアサインは、メイン基板の基板間コネクタ３０のピンアサインと同一である。
【００１５】
基板間コネクタ４０から接続されるＡ，Ｂチャンネルの信号は、信号選択回路５０で信号選択用ジャンパ６０の設定に基づいて選択され、外部通信コネクタ７０に接続される。
【００１６】
信号選択回路５０は、通信信号により構成が異なる為、具体的な回路説明は省略するが、信号選択用ジャンパ６０をＡ側にした場合に下記の通り接続される回路になり、
ＴＸＡ−⇒ＴＸ−
ＴＸＡ＋⇒ＴＸ＋
ＲＸＡ−⇒ＲＸ−
ＲＸＡ＋⇒ＲＸ＋
信号選択用ジャンパ６０をＢ側にした場合は下記の通り接続される。
【００１７】
ＴＸＢ−⇒ＴＸ−
ＴＸＢ＋⇒ＴＸ＋
ＲＸＢ−⇒ＲＸ−
ＲＸＢ＋⇒ＲＸ＋
前記基板間コネクタ３０，４０として、ＴＭＤ（Ｔｈｒｏｕｇｈ  Ｈｏｌｅ  Ｍｏｕｎｔｉｎｇ  Ｄｅｖｉｃｅ：スルーホール挿入機器）タイプのものを使用した従来装置の構造を図３６〜図３９に示し、ＳＭＤ（Ｓｕｒｆａｃｅ  Ｍｏｕｎｔｉｎｇ  Ｄｅｖｉｃｅ：表面実装部品）タイプのものを使用した従来装置の構造を図４０〜図４４に示す。
【００１８】
図３６はＴＭＤタイプの基板間コネクタを使用したメイン基板の構成を示し、図３７はＴＭＤタイプの基板間コネクタを使用した小基板の構成を示し、図３８はメイン基板および２枚の小基板の積み重ね構造を示し、図３９は図３８の要部のみの断面を示している。
【００１９】
図３６〜図３９において、矩形状のメイン基板（プリント基板）８０の中央に配設された基板間コネクタ３０は、プラスチック等の絶縁物から成る長方体形状のコネクタ本体３１と、該コネクタ本体３１内を貫通して固設された金属導体から成るピン（信号接続用ピン）３３-1〜３３-16とを備えている。
【００２０】
このピン３３-1〜３３-16の一端側はメイン基板８０に実装可能な程度に短い金属導体となっており、メイン基板８０に設けられたスルーホール（銅めっきされた穴）８１-1〜８１-16にはんだ付け固定されている。
【００２１】
スルーホール８１-1〜８１-16はメイン基板８０の両面に設けられた導体配線８２ｕ，８２ｄに電気的に接続されている。ピン３３-1〜３３-16の他端側は、接続の対象となる小基板９０に接続可能なように長軸状に形成されている。
【００２２】
ＴＭＤタイプの基板間コネクタ３０には逆差し防止構造が無いため、通常はメイン基板８０側で取付け穴８３ａ〜８３ｄの位置の一部をずらして（例えば８３ａ〜８３ｃに対して８３ｄをずらして）穿設し、逆向きに重ねられないようにしている。
【００２３】
メイン基板８０と同様の形状に構成された小基板９０の中央には、図３７に示すように長方体形状の基板間コネクタ４０が配設され、該基板間コネクタ４０から小基板９０の一方の辺側に所定距離隔てた部位には、信号選択回路５０が配設され、該信号選択回路５０から一方の辺側に所定距離隔てた部位（一方の辺の端部）には、外部通信コネクタ７０が配設されている。また、小基板９０の、外部通信コネクタ７０の配設位置から一方の辺に直交する辺側に所定距離隔てた部位には信号選択用ジャンパ６０が配設されている。
【００２４】
小基板９０の基板間コネクタ４０が配設される位置（実装面）には、図３９に示すように、メイン基板８０の基板間コネクタ３０のピン３３-1〜３３-16の他端が各々挿通される貫通穴（非めっき穴）９４-1〜９４-16が設けられている。
【００２５】
小基板９０の基板間コネクタ４０は、メイン基板８０の基板間コネクタ３０のピン３３-1〜３３-16の他端が各々貫通する構造となっている。すなわち、基板間コネクタ４０のコネクタ本体４１内には、前記ピン３３-1〜３３-16の他端が貫通し接続する穴形状接続部４２-1〜４２-16（小基板用コネクタのコネクタ接続部）が各々形成されている。
【００２６】
また基板間コネクタ４０は、前記ピン３３-1〜３３-16と同数の短いピン状の金属導体から成る、小基板９０へのはんだ付け用ピン４３-1〜４３-16（信号接続用ピン）を備え、それらの各一端は、小基板９０に設けられたスルーホール（銅めっきされた穴）９１-1〜９１-16に各々はんだ付け固定されている。
【００２７】
スルーホール９１-1〜９１-16は小基板９０の両面に設けられた導体配線９２ｕ，９２ｄに各々電気的に接続されている。
【００２８】
はんだ付け用ピン４３-1〜４３-16の各他端は折り曲げられてコネクタ本体４１内の穴形状接続部４２-1〜４２-16に各々電気的に接続されている。
【００２９】
前記ピン３３-1〜３３-16の長軸側の他端部位は基板間コネクタ３０のコネクタ接続部（３４：オス側）を構成し、穴形状接続部４２-1〜４２-16は基板間コネクタ４０のコネクタ接続部（４４：メス側）を構成している。
【００３０】
このため基板の積み重ね時に、基板間コネクタ３０のピン３３-1〜３３-16と基板間コネクタ４０のはんだ付け用ピン４３-1〜４３-16の同じピン番号同士が接続されることによって、メイン基板８０と小基板９０が電気的に接続される。
【００３１】
信号選択回路５０のはんだ付け用ピン５１は小基板９０に設けられたスルーホール９５にはんだ付け固定され、外部通信コネクタ７０のはんだ付け用ピン７１は小基板９０に設けられたスルーホール９６にはんだ付け固定されている。
【００３２】
スルーホール９５，９６は小基板９０の両面に設けられた導体配線９２ｕ，９２ｄに各々電気的に接続されている。図３５の信号選択用ジャンパ６０は図３９では図示省略しているが、ジャンパピンを挿入する箇所で通信チャンネルを選択する構成になっている。また、ジャンパ以外にディップスイッチ等でチャンネルを選択する方法もある。
【００３３】
図３８において、２０ａ〜２０ｄは、各基板の取付け穴８３ａ〜８３ｄ、９３ａ〜９３ｄに挿入され、各基板を固定する支柱である。
【００３４】
メイン基板８０に配設された基板間コネクタ３０のピン３３-1〜３３-16の他端の長さを長くすることにより、任意の枚数の小基板９０を積み重ねることが可能である。また、ＴＭＤタイプの基板間コネクタはコネクタ自身に逆差し防止の構造を持っていない場合が多いため、メイン基板８０及び小基板９０の積み重ね構造で支柱２０ａ〜２０ｄの配置に回転対称性を持たせないようにして、逆向きに重ねられない構造とする配慮が必要である。
【００３５】
尚、図３９はメイン基板８０と１枚の小基板９０のみの積層状態を示しており、図３８の２枚の小基板９０ａ，９０ｂはともに図３９の小基板９０と同一に構成されている。また図３９では、メイン基板８０にも信号選択回路５０および外部通信コネクタ７０を設けた場合の例を図示している。図３９において、８５，８６は、小基板９０のスルーホール９５，９６と同様に構成されたメイン基板８０のスルーホールである。
【００３６】
図４０はＳＭＤタイプの基板間コネクタを使用したメイン基板の構成を示し、図４１はＳＭＤタイプの基板間コネクタを使用した小基板の表面構成を示し、図４２はＳＭＤタイプの基板間コネクタを使用した小基板の裏面構成を示し、図４３はメイン基板および２枚の小基板の積み重ね構造を示し、図４４は図４３の要部のみの断面を示している。
【００３７】
このＳＭＤタイプの基板間コネクタ１３０は、図４４に示すように、プリント基板（１８０）のパッド（プリント基板表、裏面の導体にはんだレジストが塗布されていない、はんだ付け可能な領域；１８７-1〜１８７-16など）に金属導体を密着し、はんだ付けによりプリント基板に固定、接続する表面実装部品である。
【００３８】
基板間コネクタ１３０は、プラスチック等の絶縁物から成る長方体形状のコネクタ本体１３１内の一部を慣通して固設された金属導体から成るはんだ付け用ピン（信号接続用ピン）１３３-1〜１３３-16（ピンアサインは図３４のものと同一）を備えている。
【００３９】
このはんだ付け用ピン１３３-1〜１３３-16の各一端は、メイン基板１８０の表面に設けられたパッド１８７-1〜１８７-16に合う大きさで、メイン基板１８０と並行方向に曲げられ、パッド１８７-1〜１８７-16にはんだ付け固定されている。パッド１８７-1〜１８７-16は基板表面の導体配線１８２ｕと接続されている。
【００４０】
基板間コネクタ１３０のコネクタ本体１３１の基板配設面と反対側の端部には、１階層上に配設される基板間コネクタと接続できるように、コネクタ本体１３１の端部を凹型形状に形成した、電気的接触が可能なコネクタ接触部１３４が形成されている。
【００４１】
このコネクタ接触部１３４は、はんだ付け用ピン１３３-1〜１３３-16の各他端が各々別個に電気的に接触するように構成されている。
【００４２】
１８１は、メイン基板１８０の表面の導体配線１８２ｕと裏面の導体配線１８２ｄとを接続する表裏接続用スルーホールである。
【００４３】
次に、小基板１９０の表面を示す図４１において、図４１（ａ）は表面を斜視した図であり、図４１（ｂ）は小基板１９０を表面から見た、基板表面の導体配線１９２ｕ、スルーホール１９１-1〜１９１-16、パッド１９７ｕ-1〜１９７ｕ-16等を図示したものである（基板上に部品を搭載していない状態で、基板に標示された部品搭載場所を示すシルクスクリーン印刷を表示している）。
【００４４】
矩形状の小基板１９０の中央には長方体形状のＳＭＤタイプの基板間コネクタ１４０ｕ（中継用上側コネクタ）が配設され、該基板間コネクタから小基板１９０の一方の辺側に所定距離隔てた部位には、信号選択回路５０が配設され、該信号選択回路５０から一方の辺側に所定距離隔てた部位（一方の辺の端部）には、外部通信コネクタ７０が配設されている。また、小基板１９０の、外部通信コネクタ７０の配設位置から一方の辺に直交する辺側に所定距離隔てた部位には信号選択用ジャンパ６０が配設されている。信号選択回路５０のはんだ付け用ピン５１は小基板１９０に設けられたスルーホール１９５にはんだ付け固定され、外部通信コネクタ７０のはんだ付け用ピン７１は小基板１９０に設けられたスルーホール１９６にはんだ付け固定されている。
【００４５】
スルーホール１９５，１９６は小基板１９０の両面に設けられた導体配線１９２ｕ，１９２ｄに各々電気的に接続されている。
【００４６】
図４３において、２０ａ〜２０ｄは、各基板の取付け穴１８３ａ〜１８３ｄ、１９３ａ〜１９３ｄに挿入され、各基板を固定する支柱である。
【００４７】
ＳＭＤタイプの基板間コネクタ１４０ｕは、図４４に示すように、プリント基板（１９０）のパッド１９７ｕ-1〜１９７ｕ-16（プリント基板表面の導体にはんだレジストが塗布されていない、はんだ付け可能な領域）に金属導体を密着し、はんだ付けによりプリント基板に固定、接続する表面実装部品である。
【００４８】
基板間コネクタ１４０ｕは、プラスチック等の絶縁物から成る長方体形状のコネクタ本体１４１ｕ内の一部を慣通して固設された金属導体から成るはんだ付け用ピン（信号接続用ピン）１４３ｕ-1〜１４３ｕ-16を備えている。
【００４９】
このはんだ付け用ピン１４３ｕ-1〜１４３ｕ-16の各一端は、小基板１９０の表面に設けられたパッド１９７ｕ-1〜１９７ｕ-16に合う大きさで、小基板１９０と並行方向に曲げられ、パッド１９７ｕ-1〜１９７ｕ-16にはんだ付け固定されている。パッド１９７ｕ-1〜１９７ｕ-16は基板表面の導体配線１９２ｕと接続されている。
【００５０】
基板間コネクタ１４０ｕのコネクタ本体１４１ｕの基板配設面と反対側の端部には、１階層上に配設される基板間コネクタと接続できるように、コネクタ本体１４１ｕの端部を凹型形状に形成した、電気的接触が可能なコネクタ接触部１４４ｕが形成されている。
【００５１】
このコネクタ接触部１４４ｕは、はんだ付け用ピン１４３ｕ-1〜１４３ｕ-16の各他端が各々別個に電気的に接触するように構成されている。
【００５２】
１９１-1〜１９１-16は、小基板１９０の表面の導体配線１９２ｕと裏面の導体配線１９２ｄとを接続する表裏接続用スルーホールである。
【００５３】
次に小基板１９０の裏面を示す図４２において、図４２（ａ）は裏面を斜視した図であり、図４２（ｂ）は小基板１９０を表面から透視した基板裏面の導体配線１９２ｄ、スルーホール１９１-1〜１９１-16、パッド１９７ｕ-1〜１９７ｕ-16等を図示したものである。
【００５４】
小基板１９０の裏面における、表面の基板間コネクタ１４０ｕの配設位置に対応する位置には、ＳＭＤタイプの基板間コネクタ１４０ｄ（中継用下側コネクタ）が配設されている。
【００５５】
このＳＭＤタイプの基板間コネクタ１４０ｄは、図４４に示すように、プリント基板（１９０）のパッド１９７ｄ-1〜１９７ｄ-16（プリント基板裏面の導体にはんだレジストが塗布されていない、はんだ付け可能な領域）に金属導体を密着し、はんだ付けによりプリント基板に固定、接続する表面実装部品である。
【００５６】
基板間コネクタ１４０ｄは、プラスチック等の絶縁物から成る長方体形状のコネクタ本体１４１ｄ内の一部を慣通して固設された金属導体から成るはんだ付け用ピン（信号接続用ピン）１４３ｄ-1〜１４３ｄ-16（ピンアサインは図３５のものと同一）を備えている。
【００５７】
このはんだ付け用ピン１４３ｄ-1〜１４３ｄ-16の各一端は、小基板１９０の裏面に設けられたパッド１９７ｄ-1〜１９７ｄ-16に合う大きさで、小基板１９０と並行方向に曲げられ、パッド１９７ｄ-1〜１９７ｄ-16にはんだ付け固定されている。パッド１９７ｄ-1〜１９７ｄ-16は基板裏面の導体配線１９２ｄと接続されている。
【００５８】
基板間コネクタ１４０ｄのコネクタ本体１４１ｄの基板配設面と反対側の端部には、１階層下に配設される基板間コネクタと接続できるように、コネクタ本体１４１ｄの端部を凸型形状に形成した、電気的接触が可能なコネクタ接触部１４４ｄが形成されている。
【００５９】
このコネクタ接触部１４４ｄは、はんだ付け用ピン１４３ｄ-1〜１４３ｄ-16の各他端が各々別個に電気的に接触するように構成されている。
【００６０】
尚、図４４はメイン基板１８０と１枚の小基板１９０のみの積層状態を示しており、図４３の２枚の小基板１９０ａ，１９０ｂはともに図４４の小基板１９０と同一に構成されている。
【００６１】
メイン基板１８０とその直上に配設される小基板１９０ａとの関係においては、メイン基板１８０側の凹型形状のコネクタ接触部１３４に小基板１９０（１９０ａ）側の凸型形状のコネクタ接触部１４４ｄが嵌合し電気的に接触することによって、メイン基板１８０側のはんだ付け用ピン１３３-1〜１３３-16と小基板１９０側のはんだ付け用ピン１４３ｄ-1〜１４３ｄ-16が各々接続されるものである。
【００６２】
また、小基板１９０ａとその直上に配設される小基板１９０ｂとの関係においては、小基板１９０ａ側の凹型形状のコネクタ接触部１４４ｕに小基板１９０ｂ側の凸型形状のコネクタ接触部１４４ｄが嵌合し電気的に接触することによって、メイン基板１９０ａ側のはんだ付け用ピン１４３ｕ-1〜１４３ｕ-16と小基板１９０ｂ側のはんだ付け用ピン１４３ｄ-1〜１４３ｄ-16が各々接続されるものである。
【００６３】
１９１-1〜１９１-16は、パッド１９７ｕ-1〜１９７ｕ-16に各々接続された小基板１９０の表面の導体配線１９２ｕと、パッド１９７ｄ-1〜１９７ｄ-16に各々接続された裏面の導体配線１９２ｄとを各々接続する表裏接続用スルーホールである。
【００６４】
尚、ＳＭＤタイプの基板間コネクタでは、コネクタどうしの接合時に逆差しが出来ないような構造になっている場合もある。
【００６５】
また図４４では、メイン基板１８０にも信号選択回路５０および外部通信コネクタ７０を設けた場合の例を図示している。図４４において、１８５，１８６は、小基板１９０のスルーホール１９５，１９６と同様に構成されたメイン基板１８０のスルーホールである。
【００６６】
尚、従来の回路基板の接続装置としては、例えば特許文献２、３に記載のものが提案されていた。
【先行技術文献】
【特許文献】
【００６７】
【特許文献１】特開２０１３−１１５８４４号公報
【特許文献２】特開平１０−２７０６３４号公報
【特許文献３】特開平７−１５３５３４号公報
【発明の概要】
【発明が解決しようとする課題】
【００６８】
２枚以上の小基板を積み重ねる構造を採る場合、以下の問題点があった。  
【００６９】
（１）管理コストを抑えるためには、小基板を全く同一の基板にする必要があるが、同一の基板にした場合、図３４〜図４４のように通信を行う信号を選択するジャンパやスイッチと信号選択回路が必要となり、メイン制御基板に取り付ける時に小基板に設定を行う必要がある。例えば特許文献２には同一の基板を重ねた構造が開示されているが、各基板には切換部８、１０、１２を設ける必要がある。
【００７０】
（２）前記（１）のジャンパやスイッチの設定を間違えた場合、または設定を忘れた場合などには２枚のサブ基板で通信信号が逆になる問題や、電気的に信号が衝突して回路の故障になる事が想定される。
【００７１】
本発明は、上記課題を解決するものであり、その目的は、複数のチャンネルの信号選択用の回路を不要とし、各基板へのＩＤ設定を行うことなく同一構成の複数の小基板を使用できるようにし、コストを低減させたプリント基板の接続装置を提供することにある。
【課題を解決するための手段】
【００７２】
上記課題を解決するための請求項１に記載のプリント基板の接続装置は、プリント基板で構成されたメイン基板および小基板を接続する装置であって、
一端がメイン基板内導体と接続される信号接続用ピンをｎチャンネル分（ｎは２以上の正数）有し、ｎチャンネルのピンアサインは各々対称に形成され、前記信号接続用ピンと繋がるコネクタ接続部を有したメイン基板用コネクタと、
前記メイン基板用コネクタが基板中心に配設されるメイン基板と、
前記メイン基板から各々所定距離ずつ隔てて対向配設して積層されるｎ枚の小基板と、
前記各小基板の基板中心に各々配設され、一端が各小基板内導体と接続される信号接続用ピンをｎチャンネル分有し、ｎチャンネルのピンアサインは各々対称に形成され、当該小基板と対向するメイン基板用コネクタのコネクタ接続部か、又は当該小基板以外の小基板の小基板用コネクタのコネクタ接続部と接続されるコネクタ接続部を有した小基板用コネクタと、
前記各小基板の基板中心以外の部位に配設され、各小基板内の導体を介して前記小基板用コネクタの信号接続用ピンのいずれか１チャンネルの信号接続用ピンに接続された外部通信用コネクタとを備え、
前記ｎ枚の小基板は、基板中心から基板の面方向に、３６０°／ｎずつ異なる方向に各々配設されていることを特徴とする。
【００７３】
また、請求項２に記載のプリント基板の接続装置は、請求項１において、
前記メイン基板用コネクタは、一端がメイン基板内導体と接続される信号接続用ピンを有し、前記ピンのピンアサインは、２チャンネルのピンアサインがコネクタ中心を基準に点対称に形成され、前記信号接続用ピンの他端を長軸状に形成したコネクタ接続部を備えた１個のコネクタで構成され、
前記ｎ枚の小基板は第１および第２の小基板で構成され、各小基板には前記メイン基板用コネクタの信号接続用ピンの他端が挿通される貫通穴が設けられ、
前記小基板用コネクタは、一端が小基板内導体と接続される信号接続用ピンを有し、前記ピンのピンアサインは、２チャンネルのピンアサインがコネクタ中心を基準に点対称に形成され、該２チャンネルのうち一方のチャンネルのピンアサインは、前記メイン基板用コネクタの信号接続用ピンのいずれか一方のチャンネルのピンアサインと同一に構成され、
小基板用コネクタのコネクタ接続部は、前記メイン基板用コネクタの信号接続用ピンの他端が挿通可能に形成され、前記小基板用コネクタの信号接続用ピンの他端と前記メイン基板用コネクタの信号接続用ピンの他端とを接続する穴形状接続部を有し、
前記各外部通信用コネクタは、各小基板の導体を介して小基板用コネクタの一方のチャンネルの信号接続用ピンに接続され、
前記第１の小基板と第２の小基板は、基板中心から基板の面方向に互いに１８０°異なる配設方向に配設されていることを特徴とする。
【００７４】
また、請求項３に記載のプリント基板の接続装置は、請求項１において、
前記メイン基板用コネクタは、一端がメイン基板内導体と接続される信号接続用ピンを有した第１チャンネル用コネクタと、一端がメイン基板内導体と接続される信号接続用ピンを有した第２チャンネル用コネクタとを備え、
第１チャンネル用コネクタのピンアサインおよび第２チャンネル用コネクタのピンアサインがメイン基板の回転中心点を基準に点対称になるようにメイン基板に配設され、
前記第１チャンネル用コネクタおよび第２チャンネル用コネクタの基板配設面側と反対側の各端部には、前記信号接続用ピンの他端が各々接続される接触部がコネクタ接続部として各々形成されており、
前記ｎ枚の小基板は第１および第２の小基板で構成され、
前記各小基板の小基板用コネクタは、一端が、小基板の、メイン基板に対向する一方の面側に形成された導体と接続される信号接続用ピンを有した外部通信接続用コネクタ、および、一端が、小基板の前記一方の面側に形成された導体と接続される信号接続用ピンを有した中継用下側コネクタであって、該外部通信接続用コネクタのピンアサインと中継用下側コネクタのピンアサインが小基板の回転中心点を基準に点対称になるように、小基板の一方の面に各々配設された外部通信接続用コネクタおよび中継用下側コネクタと、各小基板の他方の面であって、前記中継用下側コネクタの配設位置と対応する位置に配設され、一端が小基板の他方の面側に形成された導体と接続される信号接続用ピンを有し、それらピンのピンアサインが中継用下側コネクタと同一のピンアサインに構成された中継用上側コネクタと、を備え、
前記外部通信接続用コネクタ、中継用下側コネクタおよび中継用上側コネクタの基板配設面側と反対側の各端部には、前記各信号接続用ピンの他端が各々接続された接触部がコネクタ接続部として各々形成されており、
前記第１および第２の小基板には、各一方の面に形成された、中継用下側コネクタの信号接続用ピンの各一端が接続される導体と、各他方の面に形成された、中継用上側コネクタの信号接続用ピンの各一端が接続される導体とを接続するスルーホール部が形成され、
前記各外部通信用コネクタは、各小基板内の導体を介して各外部通信接続用コネクタの信号接続用ピンに接続され、
前記第１の小基板と第２の小基板は、基板中心から基板の面方向に互いに１８０°異なる配設方向に配設されていることを特徴とする。
【００７５】
また、請求項４に記載のプリント基板の接続装置は、請求項１において、前記メイン基板用コネクタは、一端がメイン基板内導体と接続される信号接続用ピンを有し、該ピンの他端を長軸状に形成してコネクタ接続部とした第１〜第ｎチャンネル用コネクタを備え、第１〜第ｎチャンネル用コネクタは、各々のピンアサインがメイン基板の回転中心点を基準に回転対称となるようにメイン基板に配設され、
前記ｎ枚の各小基板の、前記第１〜第ｎチャンネル用コネクタの配設位置と各々対応する位置には、前記第１〜第ｎチャンネル用コネクタの各信号接続用ピンの他端が挿通される貫通穴が各々設けられ、
前記小基板用コネクタは、前記第１〜第ｎチャンネル用コネクタのうちいずれか１つのコネクタに対応する小基板の位置に配設され、一端が小基板内導体と接続される信号接続用ピンを有し、前記ピンのピンアサインは前記第１〜第ｎチャンネル用コネクタのうちいずれか１つのコネクタのピンアサインと同一に形成され、
前記小基板用コネクタのコネクタ接続部は、前記第１〜第ｎチャンネル用コネクタのうちのいずれか１つのコネクタの信号接続用ピンの他端が挿通可能に形成され、前記小基板用コネクタの信号接続用ピンの他端と、前記第１〜第ｎチャンネル用コネクタのうちいずれか１つのコネクタの信号接続用ピンの他端とを接続する穴形状接続部を有し、
前記第１〜第ｎチャンネル用コネクタの各信号接続用ピンの長さは、接続対象の小基板に配設された小基板用コネクタのコネクタ接続部の穴形状接続部までの長さに各々形成され、
前記各外部通信用コネクタは、各小基板内の導体を介して小基板用コネクタの信号接続用ピンに接続されていることを特徴とする。
【００７６】
また、請求項５に記載のプリント基板の接続装置は、請求項１において、
前記メイン基板用コネクタは、一端がメイン基板内導体と接続される信号接続用ピンを有した第１〜第ｎチャンネル用コネクタを備え、
第１〜第ｎチャンネル用コネクタは、各々のピンアサインがメイン基板の回転中心点を基準に回転対称となるようにメイン基板に配設され、前記第１〜第ｎチャンネル用コネクタの基板配設面側と反対側の各端部には、前記信号接続用ピンの他端が各々接続される接触部がコネクタ接続部として各々形成されており、
前記各小基板の小基板用コネクタは、一端が、小基板のメイン基板に対向する一方の面側に形成された導体と接続される信号接続用ピンを有した１個の外部通信接続用コネクタ、および、一端が、小基板の前記一方の面側に形成された導体と接続される信号接続用ピンを各々有したｎ−１個の中継用下側コネクタであって、該１個の外部通信接続用コネクタおよびｎ−１個の中継用下側コネクタの各ピンアサインが、小基板の回転中心点を基準に回転対称となるように小基板の一方の面に配設された外部通信接続用コネクタおよび中継用下側コネクタと、各小基板の他方の面であって、前記ｎ−１個の中継用下側コネクタの配設位置と対応する位置に配設され、一端が、小基板の他方の面側に形成された導体と接続される信号接続用ピンを有し、それらピンのピンアサインはｎ−１個の中継用下側コネクタと同一のピンアサインに各々構成されたｎ−１個の中継用上側コネクタと、を備え、
前記１個の外部通信接続用コネクタ、ｎ−１個の中継用下側コネクタおよびｎ−１個の中継用上側コネクタの基板配設面側と反対側の各端部には、前記各信号接続用ピンの他端が各々接続された接触部がコネクタ接続部として各々形成されており、
前記各小基板には、各一方の面に形成された、ｎ−１個の中継用下側コネクタの信号接続用ピンの各一端が接続される導体と、各他方の面に形成された、ｎ−１個の中継用上側コネクタの信号接続用ピンの各一端が接続される導体とを接続するスルーホール部が形成され、
前記各外部通信用コネクタは、各小基板内の導体を介して各外部通信接続用コネクタの信号接続用ピンに接続されていることを特徴とする。
【００７７】
また、請求項６に記載のプリント基板の接続装置は、請求項１において、
前記メイン基板用コネクタは、一端がメイン基板内導体と接続される信号接続用ピンを有し、該ピンの他端を長軸状に形成してコネクタ接続部とした第１〜第ｎチャンネル用コネクタであって、第１〜第ｎチャンネル用コネクタは、各々のピンアサインがメイン基板の回転中心点を基準に回転対称となるように一体化されてメイン基板に配設され、
前記ｎ枚の各小基板の、前記第１〜第ｎチャンネル用コネクタの配設位置と各々対応する位置には、前記第１〜第ｎチャンネル用コネクタの各信号接続用ピンの他端が挿通される貫通穴が各々設けられ、
前記小基板用コネクタは、各小基板の中心に配設される各１個のコネクタ本体に、前記第１〜第ｎチャンネル用コネクタの配設位置と対応する位置に第１〜第ｎコネクタ領域が各々形成され、第１〜第ｎコネクタ領域には前記第１〜第ｎチャンネル用コネクタの各信号接続用ピンの他端が挿通される貫通穴が各々設けられ、第１〜第ｎチャンネル用コネクタのうちいずれか１つのコネクタに対応する前記コネクタ領域には、一端が小基板内の導体と接続される信号接続用ピンを有し、前記ピンのピンアサインは前記第１〜第ｎチャンネル用コネクタのうちいずれか１つのコネクタのピンアサインと同一に形成され、
前記小基板用コネクタのコネクタ接続部は、第１〜第ｎチャンネル用コネクタのうちいずれか１つのコネクタに対応する前記コネクタ領域に設けられ、前記小基板用コネクタの信号接続用ピンの他端と、前記第１〜第ｎチャンネル用コネクタのうちいずれか１つのコネクタの信号接続用ピンの他端とを接続する穴形状接続部を有し、
前記各外部通信用コネクタは、各小基板内の導体を介して小基板用コネクタの信号接続用ピンに接続されていることを特徴とする。
【００７８】
また、請求項７に記載のプリント基板の接続装置は、請求項１において、
前記メイン基板用コネクタは、一端がメイン基板内導体と接続される信号接続用ピンを有した第１〜第ｎチャンネル用コネクタであって、第１〜第ｎチャンネル用コネクタは、各々のピンアサインがメイン基板の回転中心点を基準に回転対称となるように一体化されてメイン基板に配設され、
前記第１〜第ｎチャンネル用コネクタの基板配設面側と反対側の各端部には、前記信号接続用ピンの他端が各々接続される接触部がコネクタ接続部として各々形成されており、
前記小基板用コネクタは、各小基板の、前記メイン基板と対向する一方の面の中心に配設される各１個のコネクタ本体に、一端が、小基板の一方の面側に形成された導体と接続される信号接続用ピンを有し、それらピンのピンアサインは前記第１〜第ｎチャンネル用コネクタと同一のピンアサインに構成され、
前記第１〜第ｎチャンネル用コネクタのうち、いずれか１つのコネクタに対応する領域を外部通信接続用コネクタ領域とし、それ以外のコネクタに対応する領域を中継用コネクタ領域とした小基板用下側コネクタと、
各小基板の他方の面の中心に配設される各１個のコネクタ本体に、一端が、小基板の他方の面側に形成された導体と接続される信号接続用ピンを有し、それらピンのピンアサインは前記第１〜第ｎチャンネル用コネクタと同一のピンアサインに構成され、
前記第１〜第ｎチャンネル用コネクタのうち、当該小基板の一方の面に配設された小基板用下側コネクタの中継用コネクタ領域に対応する領域を、中継用コネクタ領域とし、それ以外のコネクタに対応する領域を未接続用コネクタ領域とした小基板用上側コネクタとを備え、
前記小基板用下側コネクタの基板配設面側と反対側の各端部には、前記各信号接続用ピンの他端が各々接続された接触部がコネクタ接続部として各々形成され、
前記小基板用上側コネクタの基板配設面側と反対側の各端部には、前記未接続用コネクタ領域以外の中継用コネクタ領域の各信号接続用ピンの他端が各々接続された接触部がコネクタ接続部として各々形成され、
前記各小基板には、各一方の面に形成された、小基板用下側コネクタの信号接続用ピンの各一端が接続される導体と、各他方の面に形成された、小基板用上側コネクタの信号接続用ピンの各一端が接続される導体とを接続するスルーホール部が形成され、
前記各外部通信用コネクタは、各小基板内の導体を介して各小基板用下側コネクタの外部通信接続用コネクタ領域の信号接続用ピンに接続されていることを特徴とする。
【００７９】
また、請求項８に記載のプリント基板の接続装置は、請求項１ないし７のいずれか１項において、
前記メイン基板には、回転中心点を基準として対称に取付け穴が形成され、
前記各小基板には、回転中心点を基準として対称であり、且つメイン基板の取付け穴と同一の位置に取付け穴が形成されていることを特徴とする。
【発明の効果】
【００８０】
（１）請求項１〜８に記載の発明によれば、メイン基板に対して対向配設する各小基板の配設方向に応じて、外部へ通信するための複数のチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【００８１】
また、複数のチャンネルの信号選択用の回路が不要となり、小基板のコストを低減することができる。
（２）請求項２、３、５、６、７に記載の発明によれば、各基板の積層順序には制限がなく、小基板を追加する際、既設の小基板は取外さずに、追加小基板を積層するだけでよいので、装置の製作工程が簡略化される。
（３）請求項４に記載の発明によれば、メイン基板用コネクタの信号接続用ピンの長さを、接続対象の小基板の基板間コネクタまでに必要な長さとしているので、不必要な部位がアンテナとして作用することはなく、電磁的な不干渉性および耐性が向上し、信号品質やＥＭＣ（Ｅｌｅｃｔｒｏ  Ｍａｇｎｅｔｉｃ  Ｓｕｓｃｅｐｔｉｂｉｌｉｔｙ；電磁感受性）に悪影響を与えることがない。
【図面の簡単な説明】
【００８２】
【図１】本発明の実施例１のメイン基板の回路構成図。
【図２】本発明の実施例１の基板間コネクタのピンアサインを示す説明図。
【図３】本発明の実施例１の小基板の回路構成図。
【図４】本発明の実施例１の基板積み重ね構造を示す斜視図。
【図５】図４の要部断面図。
【図６】本発明の実施例１の基板間コネクタと取付け穴の配置を示す説明図。
【図７】本発明の実施例２のメイン基板の構成図。
【図８】本発明の実施例２の小基板の構成図。
【図９】本発明の実施例２の基板積み重ね構造を示す斜視図。
【図１０】図９の要部断面図。
【図１１】本発明の実施例３のメイン基板の構成を表し、（ａ）はメイン基板表面の斜視図、（ｂ）は基板間コネクタと取付け穴の配置を示す説明図。
【図１２】本発明の実施例３の小基板の構成図。
【図１３】本発明の実施例３における基板間コネクタのアンテナ作用を表す説明図。
【図１４】本発明の実施例３の基板積み重ね構造を示す斜視図。
【図１５】図１４の要部断面図。
【図１６】本発明の実施例４のメイン基板の構成を表し、（ａ）はメイン基板表面の斜視図、（ｂ）は基板間コネクタと取付け穴の配置を示す説明図。
【図１７】本発明の実施例４の小基板の構成を表し、（ａ）は小基板表面の斜視図、（ｂ）は小基板裏面の斜視図。
【図１８】本発明の実施例４の基板積み重ね構造を示す斜視図。
【図１９】図１８の要部断面図。
【図２０】本発明の実施例５の基板間コネクタを表し、（ａ）はメイン基板用の基板間コネクタの正面図、（ｂ）はメイン基板用の基板間コネクタの平面図、（ｃ）はメイン基板用の基板間コネクタの斜視図、（ｄ）は小基板用の基板間コネクタの斜視図。
【図２１】本発明の実施例５における基板間コネクタと取付け穴の配置を示す説明図。
【図２２】本発明の実施例５におけるメイン基板の基板間コネクタのピンアサインを示す説明図。
【図２３】本発明の実施例５における小基板の基板間コネクタのピンアサインを示す説明図。
【図２４】本発明の実施例５の基板積み重ね構造を示す斜視図。
【図２５】本発明の実施例６の基板間コネクタを表し、（ａ）はメイン基板用、小基板表面用の基板間コネクタの斜視図、（ｂ）は小基板裏面用の基板間コネクタの斜視図。
【図２６】本発明の実施例６における基板間コネクタと取付け穴の配置を示す説明図。
【図２７】本発明の実施例６におけるメイン基板の基板間コネクタのピンアサインを示す説明図。
【図２８】本発明の実施例６における基板間コネクタのピンアサインを表し、（ａ）は小基板裏面用のコネクタのピンアサインの説明図、（ｂ）は小基板表面用のコネクタのピンアサインの説明図。
【図２９】本発明の実施例６における小基板の基板間コネクタの接続状況の説明図。
【図３０】本発明の実施例６の基板積み重ね構造を示す斜視図。
【図３１】本発明の実施例６のコネクタの接続状態を示す簡略断面図。
【図３２】図３０の要部断面図。
【図３３】従来のプリント基板の接続装置の概略構成図。
【図３４】従来のメイン基板回路の説明図。
【図３５】従来の小基板回路の説明図。
【図３６】従来のＴＭＤタイプのコネクタを用いたメイン基板の斜視図。
【図３７】従来のＴＭＤタイプのコネクタを用いた小基板の斜視図。
【図３８】従来の基板積み重ね構造の一例を示す斜視図。
【図３９】図３８の要部断面図。
【図４０】従来のＳＭＤタイプのコネクタを用いたメイン基板の斜視図。
【図４１】従来のＳＭＤタイプのコネクタを用いた小基板の表面を表し、（ａ）は表面の構成図、（ｂ）は表面の導体配線の構成図。
【図４２】従来のＳＭＤタイプのコネクタを用いた小基板の裏面を表し、（ａ）は裏面の構成図、（ｂ）は裏面の導体配線の構成図。
【図４３】従来の基板積み重ね構造の他の例を示す斜視図。
【図４４】図４３の要部断面図。
【発明を実施するための形態】
【００８３】
以下、図面を参照しながら本発明の実施の形態を説明するが、本発明は下記の実施形態例に限定されるものではない。本実施形態では、メイン基板の上に同一回路の小基板を２枚以上重ねて搭載する構成において、従来のように信号選択回路を設けることなく、小基板の取付け方向に応じてメイン基板からの信号を選択することで、小基板毎にＩＤ設定する必要を無くし、ＩＤ設定間違いによる不具合の防止と信号選択回路の削減によるコスト低減を実現した。
【実施例１】
【００８４】
本実施例１では、ＴＭＤタイプの基板間コネクタを使用したメイン基板上に積層する２枚の小基板の取付け方向によって、メイン基板からの２チャンネルの信号を選択できるように構成した。
【００８５】
図１は本実施例１のメイン基板の基板間コネクタ２３０周辺の回路図を表している。図１において、信号名の最初の２文字のＴＸは送信信号を意味し、ＲＸは受信信号を意味する。信号名の３文字目のＡとＢは２枚重ねる小基板の識別用であり、信号のチャンネルを意味する。信号名の４文字目の＋と−は差動信号の正論理（＋）、負論理（−）の信号を意味する。
【００８６】
図２は基板間コネクタ２３０のピン（１〜１６）のピンアサインを示しており、コネクタ中心を基準にして左側（奇数ピン）をＢチャンネル用の配線、右側（偶数ピン）をＡチャンネル用の配線にしている。また、信号の並びはコネクタ中心を基準にＡチャンネルとＢチャンネルで点対称となるように構成している。
【００８７】
したがって、Ｂチャンネルの１ピン、７ピン、１５ピンと、これらに各々点対称となるＡチャンネルの１６ピン、１０ピン、２ピンにはＧＮＤが割り当てられている。Ｂチャンネルの受信信号ＲＸＢ＋、ＲＸＢ−が割り当てられた３ピン、５ピンと点対称となる１４ピン、１２ピンには、Ａチャンネルの受信信号ＲＸＡ＋、ＲＸＡ−が各々割り当てられている。
【００８８】
Ｂチャンネルの９ピンとこれに点対称となるＡチャンネルの８ピンにはＶＣＣが割り当てられている。Ｂチャンネルの送信信号ＴＸＢ＋、ＴＸＢ−が割り当てられた１１ピン、１３ピンと点対称となる６ピン、４ピンには、Ａチャンネルの送信信号ＴＸＡ＋、ＴＸＡ−が各々割り当てられている。
【００８９】
尚、信号が低速でメイン基板と小基板の信号を差動伝送にする必要が無い場合は、シングルエンド伝送とし、＋か−のどちらか１本の接続で片側の配線は不要である。
【００９０】
図３は、メイン基板上に搭載される小基板の回路図を表している。図３において、小基板の基板間コネクタ２４０のピンアサインはメイン基板の基板間コネクタ２３０のピンアサインと同一であるが、コネクタ中心を基準として一方の側の列（図３では偶数ピン２，４，６，８，１０，１２，１４，１６）を接続し、他方側の列（図３では奇数ピン３，５，１１，１３）は未接続としている。
【００９１】
このため、一方側の列の２ピン、１０ピン、１６ピンがＧＮＤに、８ピンがＶＣＣに各々接続されている。４ピン、６ピンはＡ、Ｂチャンネル兼用の送信信号ＴＸ−、ＴＸ＋として外部通信コネクタ７０に接続され、１２ピン、１４ピンはＡ，Ｂチャンネル兼用の受信信号ＲＸ−、ＲＸ＋として外部通信コネクタ７０に接続されている。
【００９２】
尚、他方側の列では、電源として、１ピン、７ピン、１５ピンがＧＮＤに、９ピンがＶＣＣに各々接続されている。
【００９３】
上記構成により、後述の図４〜図６に示すように、メイン基板の基板間コネクタ２３０上に積層され対向配設される小基板の基板間コネクタ２４０が、図２、図３のとおりの配置で設置された場合は、基板間コネクタ２４０の、外部通信コネクタ７０と接続された偶数ピン（２，４，６，８，１０，１２，１４，１６）が、基板間コネクタ２３０の偶数ピン（２，４，６，８，１０，１２，１４，１６）と合致する配置となって、基板間コネクタ２３０と２４０間はＡチャンネルが接続される（選択される）。
【００９４】
また、基板間コネクタ２３０に対して基板間コネクタ２４０が１８０°異なる位置に配設された場合は、基板間コネクタ２４０の偶数ピン（２，４，６，８，１０，１２，１４，１６）が、基板間コネクタ２３０の奇数ピン（１５，１３，１１，９，７，５，３，１）と合致する配置となって、基板間コネクタ２３０と２４０間はＢチャンネルが接続される（選択される）。  
【００９５】
尚、基板間コネクタ２３０、２４０のピンアサインは前記のものに限るものではない。
【００９６】
図４は、基板間コネクタ２３０を配設したメイン基板２８０と、基板間コネクタ２４０を各々配設した２枚の小基板２９０ａ，２９０ｂとの積み重ね構造を示し、図５は図４の要部のみの断面を示し、図６は各基板における基板間コネクタと取付け穴の配置を示している。
【００９７】
これらの図において、図３６〜図３９と同一部分は同一符号をもって示し、その部分の説明は省略する。
【００９８】
矩形状のメイン基板２８０の中央には、図６に示すとおり、コネクタ中心が基板の回転中心点となるように基板間コネクタ２３０が配設されている。メイン基板２８０と基板間コネクタ２３０は、図３６〜図３９のメイン基板８０、基板間コネクタ３０と同様に構成されている。
【００９９】
すなわち、基板間コネクタ２３０は、プラスチック等の絶縁物から成る長方体形状のコネクタ本体２３１と、該コネクタ本体２３１内を貫通して固設された金属導体から成るピン（信号接続用ピン）２３３-1〜２３３-16とを備えている。
【０１００】
このピン２３３-1〜２３３-16の一端側はメイン基板２８０に実装可能な程度に短い金属導体となっており、メイン基板２８０に設けられたスルーホール（銅めっきされた穴）８１-1〜８１-16にはんだ付け固定されている。
【０１０１】
尚、図５ではメイン基板２８０に搭載される前記コネクタ以外の部品は図示省略しており、スルーホール８１-1〜８１-16に接続される、メイン基板２８０の両面に設けられた導体配線８２ｕ，８２ｄも図示省略している。ピン２３３-1〜２３３-16の他端側は、接続の対象となる小基板２９０（２９０ａ，２９０ｂ）に接続可能なように長軸状に形成されている。
【０１０２】
メイン基板２８０の四隅に穿設された取付け穴２８３ａ〜２８３ｄは、図６に示すように基板の回転中心点を基準に点対称に設けられている。
【０１０３】
メイン基板２８０と同様の形状に構成された小基板２９０（２９０ａ，２９０ｂ）の中央には、図６に示すとおり、コネクタ中心が基板の回転中心点となるように長方体形状の基板間コネクタ２４０が配設され、該基板間コネクタ２４０から小基板２９０ａ，２９０ｂの各一方の辺側の端部には、図４に示すとおり外部通信コネクタ７０が配設されている。従来の図３７の信号選択回路５０および信号選択用ジャンパ６０は除去している。
【０１０４】
メイン基板２８０上に所定距離づつ隔てて積層され対向配設される２枚の小基板２９０ａと２９０ｂは、基板の回転中心点を基準として、基板の面方向に互いに１８０°異なる方向に配設されている。
【０１０５】
小基板２９０ａ，２９０ｂと基板間コネクタ２４０は、図３６〜図３９の小基板９０（９０ａ，９０ｂ）、基板間コネクタ４０と同様に構成されている。
【０１０６】
すなわち、小基板２９０ａ，２９０ｂの基板間コネクタ２４０が配設される位置（実装面）には、図５に示すように、メイン基板２８０の基板間コネクタ２３０のピン２３３-1〜２３３-16の他端が各々挿通される貫通穴（非めっき穴）９４-1〜９４-16が設けられている。
【０１０７】
小基板２９０ａ，２９０ｂの各基板間コネクタ２４０は、メイン基板２８０の基板間コネクタ２３０のピン２３３-1〜２３３-16の他端が各々貫通する構造となっている。すなわち、基板間コネクタ２４０のコネクタ本体２４１内には、前記ピン２３３-1〜２３３-16の他端が貫通し接続する穴形状接続部２４２-1〜２４２-16（小基板用コネクタのコネクタ接続部）が各々形成されている。
【０１０８】
また基板間コネクタ２４０は、前記ピン２３３-1〜２３３-16と同数の短いピン状の金属導体から成る、小基板２９０ａ，２９０ｂへのはんだ付け用ピン２４３-1〜２４３-16（信号接続用ピン）を備え、それらの各一端は、小基板２９０ａ，２９０ｂに設けられたスルーホール（銅めっきされた穴）９１-1〜９１-16に各々はんだ付け固定されている。但し、はんだ付け用ピン２４３-3、２４３-5、２４３-11、２４３-13は図３で説明したとおり「未接続」であるため、スルーホールにはんだ付けされない。
【０１０９】
スルーホール９１-1〜９１-16は小基板２９０ａ，２９０ｂの両面に設けられた導体配線９２ｕ，９２ｄに各々電気的に接続されている。
【０１１０】
はんだ付け用ピン２４３-1〜２４３-16の各他端は折り曲げられてコネクタ本体２４１内の穴形状接続部２４２-1〜２４２-16に各々電気的に接続されている。
【０１１１】
前記ピン２３３-1〜２３３-16の長軸側の他端部位は基板間コネクタ２３０のコネクタ接続部（２３４：オス側）を構成し、穴形状接続部２４２-1〜２４２-16は基板間コネクタ２４０のコネクタ接続部（２４４：メス側）を構成している。
【０１１２】
各基板の積み重ね時に、外部通信コネクタ７０に導体配線９２ｕ，９２ｄを介して接続される、小基板２９０ａの基板間コネクタ２４０のはんだ付け用ピン２４３-2，２４３-4，２４３-6，２４３-8，２４３-10，２４３-12，２４３-14，２４３-16が、メイン基板２８０の基板間コネクタ２３０のピン２３３-2，２３３-4，２３３-6，２３３-8，２３３-10，２３３-12，２３３-14，２３３-16に各々接続されることによって、メイン基板２８０の基板間コネクタ２３０と小基板２９０ａの基板間コネクタ２４０の間は、Ａチャンネルが接続される（選択される）。
【０１１３】
そして、外部通信コネクタ７０に導体配線９２ｕ，９２ｄを介して接続される、小基板２９０ｂの基板間コネクタ２４０のはんだ付け用ピン２４３-2，２４３-4，２４３-6，２４３-8，２４３-10，２４３-12，２４３-14，２４３-16が、メイン基板２８０の基板間コネクタ２３０のピン２３３-15，２３３-13，２３３-11，２３３-9，２３３-7，２３３-5，２３３-3，２３３-1に各々接続されることによって、メイン基板２８０の基板間コネクタ２３０と小基板２９０ｂの基板間コネクタ２４０の間は、Ｂチャンネルが接続される（選択される）。
【０１１４】
各小基板２９０ａ，２９０ｂの四隅に穿設された取付け穴２９３ａ〜２９３ｄは、図６に示すように、基板の回転中心点を基準に点対称で且つメイン基板の取付け穴２８３ａ〜２８３ｄと同一位置に各々設けられている。
【０１１５】
２０ａ〜２０ｄは各基板の取付け穴２８３ａ〜２８３ｄ、２９３ａ〜２９３ｄに挿入され、各基板を固定する支柱である。
【０１１６】
上記実施例１では、小基板２９０ａ，２９０ｂを積み重ねる順を逆にすることも可能である。すなわち、メイン基板２８０に対して小基板２９０ｂを積み重ねた後に小基板２９０ａを積み重ねる。この場合は最初に積み重ねた小基板２９０ｂの基板間コネクタ２４０がＢチャンネルに接続され、その次に積み重ねた小基板２９０ａの基板間コネクタ２４０がＡチャンネルに接続されることになる。
【０１１７】
尚、図４、図５では、メイン基板２８０の面の導体配線や、その他搭載される部品等は図示省略している。
【０１１８】
本実施例１によれば、メイン基板に対して対向配設する２枚の小基板の配設方向に応じて、外部へ通信するための２つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０１１９】
また、２つのチャンネルの信号選択用の回路が不要となり、小基板のコストを低減することができる。
【実施例２】
【０１２０】
本実施例２では、ＳＭＤタイプの基板間コネクタを使用したメイン基板上に積層する２枚の小基板の取付け方向によって、メイン基板からの２チャンネルの信号を選択できるように構成した。
【０１２１】
ＳＭＤタイプの基板間コネクタは逆差し防止構造となっているものが一般的であるため、ＳＭＤタイプの基板間コネクタを使用した２枚の小基板を前記実施例１のように互いに１８０°異なる方向に配設しようとしてもコネクタを逆接続することが出来ない。
【０１２２】
そこで本実施例２では、メイン基板に、基板の回転中心点を基準に点対称となるＡ，Ｂチャンネル用の２個のメイン基板用コネクタ（第１チャンネル用コネクタ、第２チャンネル用コネクタ）を設け、２枚の小基板各々に、いずれか一方のチャンネルの信号を一方の小基板の外部通信コネクタに接続する接続用コネクタと、いずれか他方のチャンネルの信号を他方の小基板側へ中継する中継用コネクタとを、前記２個のメイン基板用コネクタに対応する位置に配設して構成した。
【０１２３】
図７はＳＭＤタイプの基板間コネクタを使用したメイン基板の構成を示し、図８はＳＭＤタイプの基板間コネクタを使用した小基板の表、裏面構成を示し、図９はメイン基板および２枚の小基板の積み重ね構造を示し、図１０は図９の要部のみの断面を示している。
【０１２４】
これらの図において、図４０〜図４４と同一部分は同一符号をもって示している。矩形状のメイン基板３８０には、Ａチャンネル用基板間コネクタ３３０ＡとＢチャンネル用基板間コネクタ３３０Ｂが、メイン基板３８０の回転中心点を基準に点対称となるように配設されている。
【０１２５】
前記コネクタ３３０Ａ，３３０Ｂのピンアサインは任意に決定できるが、例えば図２の偶数ピン（２，４，６，８，１０，１２）を本実施例の１ピン〜８ピンに割り当てる場合は、コネクタ３３０Ａとコネクタ３３０Ｂは各々同一のピンアサインの並びであり、且つ図７に示すようにメイン基板３８０の回転中心点を基準に点対称となるように構成されている。
【０１２６】
また、メイン基板３８０の四隅に穿設された取付け穴３８３ａ〜３８３ｄもメイン基板３８０の回転中心点を基準に点対称に設けられている。
【０１２７】
メイン基板３８０とＡチャンネル用基板間コネクタ３３０Ａは、図４４と同様に図１０のように構成されている。
【０１２８】
すなわち、このＳＭＤタイプのＡチャンネル用基板間コネクタ３３０Ａは、プリント基板（３８０）のパッド（プリント基板表、裏面の導体にはんだレジストが塗布されていない、はんだ付け可能な領域；１８７-1〜１８７-8など）に金属導体を密着し、はんだ付けによりプリント基板に固定、接続する表面実装部品である。
【０１２９】
Ａチャンネル用基板間コネクタ３３０Ａは、プラスチック等の絶縁物から成る長方体形状のコネクタ本体３３１内の一部を慣通して固設された金属導体から成るはんだ付け用ピン（信号接続用ピン）３３３-1〜３３３-8（ピンアサインは図７のものと同一）を備えている。
【０１３０】
このはんだ付け用ピン３３３-1〜３３３-8の各一端は、メイン基板３８０の表面に設けられたパッド１８７-1〜１８７-8に合う大きさで、メイン基板３８０と並行方向に曲げられ、パッド１８７-1〜１８７-8にはんだ付け固定されている。パッド１８７-1〜１８７-8は基板表面の導体配線１８２ｕと接続されている。
【０１３１】
基板間コネクタ３３０Ａのコネクタ本体３３１の基板配設面と反対側の端部には、１階層上に配設される基板間コネクタと接続できるように、コネクタ本体３３１の端部を凹型形状に形成した、電気的接触が可能なコネクタ接触部３３４が形成されている。
【０１３２】
このコネクタ接触部３３４は、はんだ付け用ピン３３３-1〜３３３-8の各他端が各々別個に電気的に接触するように構成されている。
【０１３３】
１８１-1〜１８１-8は、メイン基板３８０の表面の導体配線１８２ｕと裏面の導体配線１８２ｄとを接続する表裏接続用スルーホールである。
【０１３４】
Ｂチャンネル用基板間コネクタ３３０Ｂも前記コネクタ３３０Ａと同様に構成されている。  
【０１３５】
次に、小基板３９０（３９０ａ，３９０ｂ）の裏面には、メイン基板側の前記コネクタ３３０Ａ，３３０Ｂと同じ対向する位置に、該コネクタ３３０Ａ，３３０Ｂと接続される外部通信接続用コネクタ３４０ｘと中継用下側コネクタ３４０ｄが、小基板の回転中心点を基準に点対称となるように配設されている。
【０１３６】
外部通信接続用コネクタ３４０ｘ、中継用下側コネクタ３４０ｄの各ピンアサインは、前記コネクタ３３０Ａ，３３０Ｂの１ピン〜８ピンと同じピンアサインに構成されている。
【０１３７】
小基板３９０（３９０ａ，３９０ｂ）の表面には、中継用下側コネクタ３４０ｄに対応する位置に中継用上側コネクタ３４０ｕが配設され、該中継用上側コネクタ３４０ｕから一方の辺側に所定距離隔てた部位（一方の辺の端部）には、外部通信コネクタ７０が配設されている。
【０１３８】
中継用上側コネクタ３４０ｕのピンアサインは中継用下側コネクタ３４０ｄのピンアサインと同一に構成されている。
【０１３９】
外部通信接続用コネクタ３４０ｘと外部通信コネクタ７０は小基板内の導体配線を介して接続され、中継用下側コネクタ３４０ｄと中継用上側コネクタ３４０ｕは小基板内の導体配線を介して接続されている。
【０１４０】
このＳＭＤタイプの中継用下側コネクタ３４０ｄは、図１０に示すように、プリント基板（３９０ａ）のパッド１９７ｄ-1〜１９７ｄ-8（プリント基板裏面の導体にはんだレジストが塗布されていない、はんだ付け可能な領域）に金属導体を密着し、はんだ付けによりプリント基板に固定、接続する表面実装部品である。
【０１４１】
中継用下側コネクタ３４０ｄは、プラスチック等の絶縁物から成る長方体形状のコネクタ本体３４１ｄ内の一部を慣通して固設された金属導体から成るはんだ付け用ピン（信号接続用ピン）３４３ｄ-1〜３４３ｄ-8を備えている。
【０１４２】
このはんだ付け用ピン３４３ｄ-1〜１４３ｄ-8の各一端は、小基板３９０ａの裏面に設けられたパッド１９７ｄ-1〜１９７ｄ-8に合う大きさで、小基板３９０ａと並行方向に曲げられ、パッド１９７ｄ-1〜１９７ｄ-8にはんだ付け固定されている。パッド１９７ｄ-1〜１９７ｄ-8は基板裏面の導体配線１９２ｄと接続されている。
【０１４３】
中継用下側コネクタ３４０ｄのコネクタ本体３４１ｄの基板配設面と反対側の端部には、１階層下に配設される基板間コネクタと接続できるように、コネクタ本体３４１ｄの端部を凸型形状に形成した、電気的接触が可能なコネクタ接触部３４４ｄが形成されている。
【０１４４】
このコネクタ接触部３４４ｄは、はんだ付け用ピン３４３ｄ-1〜３４３ｄ-8の各他端が各々別個に電気的に接触するように構成されている。
【０１４５】
１９１-1〜１９１-8は、小基板３９０ａの表面の導体配線１９２ｕと裏面の導体配線１９２ｄとを接続する表裏接続用スルーホールである。
【０１４６】
外部通信接続用コネクタ３４０ｘもＳＭＤタイプのコネクタであり、中継用下側コネクタ３４０ｄと同様に構成されている。
【０１４７】
すなわち、プラスチック等の絶縁物から成る長方体形状のコネクタ本体３４１ｘ内の一部を貫通して固設されたはんだ付け用ピン（信号接続用ピン）３４３ｘ-1〜３４３ｘ-8と、コネクタ本体３４１ｘの基板配設面と反対側の端部に形成された凸型形状のコネクタ接触部３４４ｘを備え、はんだ付け用ピン３４３ｘ-1〜３４３ｘ-8の各一端はパッド１９７ｄ-1〜１９７ｄ-8にはんだ付け固定され、各他端はコネクタ接触部３４４ｘに各々別個に電気的に接触するように構成されている。
【０１４８】
この外部通信接続用コネクタ３４０ｘの偶数ピン側のはんだ付け用ピン３４３ｘ-2…３４３ｘ-8は、パッド１９７ｄ-2…１９７ｄ-8、導体配線１９２ｄ、表裏接続用スルーホール１９１-2…１９１-8、導体配線１９２ｕを介して外部通信コネクタ７０に接続されている。
【０１４９】
中継用上側コネクタ３４０ｕは、プラスチック等の絶縁物から成る長方体形状のコネクタ本体３４１ｕ内の一部を慣通して固設された金属導体から成るはんだ付け用ピン（信号接続用ピン）３４３ｕ-1〜３４３ｕ-8を備えている。
【０１５０】
このはんだ付け用ピン３４３ｕ-1〜３４３ｕ-8の各一端は、小基板３９０ａの表面に設けられたパッド１９７ｕ-1〜１９７ｕ-8に合う大きさで、小基板３９０ａと並行方向に曲げられ、パッド１９７ｕ-1〜１９７ｕ-8にはんだ付け固定されている。パッド１９７ｕ-1〜１９７ｕ-8は基板表面の導体配線１９２ｕと接続されている。
【０１５１】
中継用上側コネクタ３４０ｕのコネクタ本体３４１ｕの基板配設面と反対側の端部には、１階層上に配設される基板間コネクタと接続できるように、コネクタ本体３４１ｕの端部を凹型形状に形成した、電気的接触が可能なコネクタ接触部３４４ｕが形成されている。
【０１５２】
このコネクタ接触部３４４ｕは、はんだ付け用ピン３４３ｕ-1〜３４３ｕ-8の各他端が各々別個に電気的に接触するように構成されている。
【０１５３】
１９１-1〜１９１-8は、小基板１９０の表面の導体配線１９２ｕと裏面の導体配線１９２ｄとを接続する表裏接続用スルーホールである。
【０１５４】
小基板３９０ｂは小基板３９０ａと同一に構成され、小基板３９０ａとは面方向に１８０°異なる方向に配設されている。
【０１５５】
各小基板３９０ａ，３９０ｂの四隅に穿設された取付け穴３９３ａ〜３９３ｄは、図７と同様に、基板の回転中心点を基準に点対称で且つメイン基板の取付け穴３８３ａ〜３８３ｄと同一位置に各々設けられている。
【０１５６】
２０ａ〜２０ｄは各基板の取付け穴３８３ａ〜３８３ｄ、３９３ａ〜３９３ｄに挿入され、各基板を固定する支柱である。
【０１５７】
図９、図１０において、メイン基板３８０とその直上に配設される小基板３９０ａとの関係においては、Ｂチャンネル用基板間コネクタ３３０Ｂの凹型形状のコネクタ接触部３３４に中継用下側コネクタ３４０ｄの凸型形状のコネクタ接触部３４４ｄが嵌合し電気的に接触することによって、Ｂチャンネル用基板間コネクタ３３０Ｂのはんだ付け用ピン３３３-1〜３３３-8と中継用下側コネクタ３４０ｄのはんだ付け用ピン３４３ｄ-1〜３４３ｄ-8が各々接続されるものである。
【０１５８】
また、Ａチャンネル用基板間コネクタ３３０Ａの凹型形状のコネクタ接触部３３４に外部通信接続用コネクタ３４０ｘの凸型形状のコネクタ接触部３４４ｘが嵌合し電気的に接触することによって、Ａチャンネル用基板間コネクタ３３０Ａのはんだ付け用ピン３３３-1〜３３３-8と外部通信接続用コネクタ３４０ｘのはんだ付け用ピン３４３ｘ-1〜３４３ｘ-8が各々接続されるものである。
【０１５９】
このため、小基板３９０ａの外部通信コネクタ７０にはＡチャンネルの信号が接続（選択）される。
【０１６０】
小基板３９０ａとその直上に配設される小基板３９０ｂとの関係においては、中継用上側コネクタ３４０ｕの凹型形状のコネクタ接触部３４４ｕに外部通信接続用コネクタ３４０ｘの凸型形状のコネクタ接触部３４４ｘが嵌合し電気的に接触することによって、Ｂチャンネル用基板間コネクタ３３０Ｂのはんだ付け用ピン３３３-1〜３３３-8と外部通信接続用コネクタ３４０ｘのはんだ付け用ピン３４３ｘ-1〜３４３ｘ-8が各々接続されるものである。
【０１６１】
このため、小基板３９０ｂの外部通信コネクタ７０には、前記コネクタ３４０ｄ、３４０ｕ，３４０ｘを中継してＢチャンネルの信号が接続（選択）される。
【０１６２】
上記実施例２では、小基板３９０ａ，３９０ｂを積み重ねる順を逆にすることも可能である。すなわち、メイン基板３８０に対して小基板３９０ｂを積み重ねた後に小基板３９０ａを積み重ねる。この場合は最初に積み重ねた小基板３９０ｂの前記コネクタ３４０ｘがＢチャンネルに接続され、その次に積み重ねた小基板３９０ａの前記コネクタ３４０ｘがＡチャンネルに接続されることになる。
【０１６３】
尚、図９、図１０では、メイン基板３８０の面の導体配線や、その他搭載される部品等は図示省略している。
【０１６４】
本実施例２によれば、メイン基板に対して対向配設する２枚の小基板の配設方向に応じて、外部へ通信するための２つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０１６５】
また、２つのチャンネルの信号選択用の回路が不要となり、小基板のコストを低減することができる。
【実施例３】
【０１６６】
本実施例３では、ＴＭＤタイプの基板間コネクタを使用したメイン基板上に積層する３枚以上の小基板の取付け方向によって、メイン基板からの３チャンネル以上の信号を選択できるように構成した。
【０１６７】
図１１はメイン基板の構成を示し、図１２は小基板の構成を示し、図１３はメイン基板用コネクタの長軸状のピンのアンテナ作用を示し、図１４はメイン基板と小基板の積み重ね構造を示し、図１５は図１４の要部のみの断面を示している。これらの図において、図４〜図６と同一部分は同一符号をもって示している。
【０１６８】
小基板を３枚以上積み重ねる場合は、実施例１の図４〜図６のように１個のメイン基板用のＴＭＤコネクタでは実現出来ないため、小基板の枚数以上の基板間コネクタ（４３０）を搭載する。
【０１６９】
図１１は４個の基板間コネクタ（ＴＭＤタイプ）を搭載したメイン基板２８０の構成例を示している。各基板間コネクタ４３０Ａ〜４３０Ｄは図４〜図６の基板間コネクタ２３０と同様に構成され、該コネクタ４３０Ａ〜４３０Ｄと基板の取付け穴２８３ａ〜２８３ｄは、メイン基板２８０の回転中心点を基準に回転対称した位置に配設している。
【０１７０】
メイン基板２８０における基板間コネクタの搭載数はｎ回対称のｎ数以下まで搭載可能である（第１〜第ｎチャンネル用コネクタ；ｎ数未満の場合は一部を未配置とする）。図１１の例では９０度毎に回転対称した位置となっており、４回対称であり、基板間コネクタ数は４個（４チャンネル）まで搭載可能である。
【０１７１】
各チャンネルの基板間コネクタのピンアサイン（１ピン〜８ピン）は同一の並びとなるようにしている。また、各基板間コネクタ４３０Ａ〜４３０Ｄの長軸状のピン４３３Ａ-1〜４３３Ａ-8、４３３Ｂ-1〜４３３Ｂ-8、４３３Ｃ-1〜４３３Ｃ-8、４３３Ｄ-1〜４３３Ｄ-8の長さは、接続対象の小基板の基板間コネクタ（４４０）の後述する穴形状接続部の高さまでとしている。
【０１７２】
このため、長軸状ピンを不必要に長く構成した場合を示す図１３のように、不必要な部分（各コネクタとの接続部を超えて露出している部位）がアンテナとなることはない。
【０１７３】
このため、電磁的な不干渉性および耐性が向上し、信号品質やＥＭＣ（Ｅｌｅｃｔｒｏ  Ｍａｇｎｅｔｉｃ  Ｓｕｓｃｅｐｔｉｂｉｌｉｔｙ；電磁感受性）に悪影響を与えることがない。
【０１７４】
メイン基板２８０上に小基板２９０を対向配設（積層）した場合の、前記各基板間コネクタ４３０Ａ〜４３０Ｄの配設位置に対応する小基板２９０の各部位には、該コネクタ４３０Ａ〜４３０Ｄの各ピン（４３３Ａ-1…４３３Ｄ-8）の他端が挿通される貫通穴９４-1〜９４-8（非めっき穴）が各々設けられている。
【０１７５】
小基板２９０の表面の、ｎチャンネルのいずれか１個のチャンネル、例えばＡチャンネル用の基板間コネクタ４３０Ａに対応する部位には、基板間コネクタ４４０（小基板用コネクタ）が配設され、そのピンアサインは前記コネクタ４３０Ａのピンアサインと同一に構成されている。
【０１７６】
前記基板間コネクタ４４０から小基板２９０の各一方の辺側の端部には、図１２に示すとおり外部通信コネクタ７０が配設されている。従来の図３７の信号選択回路５０および信号選択用ジャンパ６０は除去している。
【０１７７】
メイン基板２８０上に図１４のように所定距離づつ隔てて積層され対向配設される４枚の小基板２９０ａ〜２９０ｄは、基板の回転中心点を基準として、基板の面方向に互いに９０°づつ異なる方向に配設されている。各基板２９０ａ〜２９０ｄは図１２の小基板２９０と同一に構成されるものである。
【０１７８】
メイン基板２８０に配設された各チャンネルの基板間コネクタ４３０Ａ〜４３０Ｄは、図１５に示すように、プラスチック等の絶縁物から成る長方体形状のコネクタ本体４３１と、該コネクタ本体４３１内を貫通して固設された金属導体から成るピン（信号接続用ピン）４３３Ａ-1〜４３３Ａ-8、４３３Ｂ-1〜４３３Ｂ-8、４３３Ｃ-1〜４３３Ｃ-8、４３３Ｄ-1〜４３３Ｄ-8とを備えている。
【０１７９】
このピン４３３Ａ-1…４３３Ｄ-8の一端側はメイン基板２８０に実装可能な程度に短い金属導体となっており、メイン基板２８０に設けられたスルーホール（銅めっきされた穴）８１-1〜８１-8にはんだ付け固定されている。
【０１８０】
尚、図１５は、図１４における支柱２０ｃと２０ｄを結ぶ線から基板中心側を見た図であり、メイン基板２８０と２９０ａでは各コネクタの断面を表し、小基板２９０ｂでは手前の外部通信コネクタ７０の外形を実線で、奥の基板用コネクタ４４０を破線で示している。
【０１８１】
また、図１５は小基板２９０ｃ、２９０ｄ側を図示省略している。また図１５では、メイン基板２８０に搭載される前記コネクタ以外の部品は図示省略しており、スルーホール８１-1〜８１-8に接続される、メイン基板２８０の両面に設けられた導体配線８２ｕ，８２ｄも図示省略している。ピン４３３Ａ-1〜４３３Ｄ-8の他端側は、接続の対象となる小基板２９０（２９０ａ〜２９０ｄ）に接続可能なように長軸状に形成されている。
【０１８２】
小基板用の基板間コネクタ４４０は図５の基板間コネクタ２４０と同様に構成されている。すなわち、前記ピン４３３Ａ-1〜４３３Ａ-16と同数の短いピン状の金属導体から成る、小基板２９０（２９０ａ〜２９０ｄ）へのはんだ付け用ピン４４３-1〜４４３-8（信号接続用ピン）を備え、それらの各一端は、小基板２９０に設けられたスルーホール（銅めっきされた穴）９１-1〜９１-8に各々はんだ付け固定されている。
【０１８３】
スルーホール９１-1〜９１-8は小基板２９０の両面に設けられた導体配線９２ｕ，９２ｄを介して外部通信コネクタ７０に各々電気的に接続されている。
【０１８４】
はんだ付け用ピン４４３-1〜４４３-8の各他端は折り曲げられてコネクタ本体４４１内の穴形状接続部４４２-1〜４４２-8に各々電気的に接続されている。
【０１８５】
前記ピン４３３Ａ-1…４３３Ｄ-8の長軸側の他端部位は基板間コネクタ４３０Ａ〜４３０Ｄのコネクタ接続部（４３４：オス側）を構成し、穴形状接続部４４２-1〜４４２-8は基板間コネクタ４４０のコネクタ接続部（４４４：メス側）を構成している。
【０１８６】
図１４のように、各基板が積み重ねられた状態において、外部通信コネクタ７０に導体配線９２ｕ，９２ｄを介して接続される、小基板２９０ａの基板間コネクタ４４０のはんだ付け用ピン４４３-1〜４４３-8が、メイン基板２８０のＡチャンネル用の基板間コネクタ４３０Ａのピン４３３-1〜４３３-8に各々接続されることによって、小基板２９０ａはＡチャンネルの信号が選択される。その他のチャンネルの信号は上階へ中継される。
【０１８７】
その上の小基板２９０ｂでは、基板間コネクタ４４０のはんだ付け用ピン４４３-1〜４４３-8が、メイン基板２８０のＢチャンネル用の基板間コネクタ４３０Ｂのピン４３３-1〜４３３-8に各々接続されることによって、Ｂチャンネルの信号が選択される。その他のチャンネルの信号は上階へ中継される。
【０１８８】
その上の小基板２９０ｃでは、基板間コネクタ４４０のはんだ付け用ピン４４３-1〜４４３-8が、メイン基板２８０のＣチャンネル用の基板間コネクタ４３０Ｃのピン４３３-1〜４３３-8に各々接続されることによって、Ｃチャンネルの信号が選択される。その他のチャンネルの信号は上階へ中継される。
【０１８９】
最上階の小基板２９０ｄでは、基板間コネクタ４４０のはんだ付け用ピン４４３-1〜４４３-8が、メイン基板２８０のＤチャンネル用の基板間コネクタ４３０Ｄのピン４３３-1〜４３３-8に各々接続されることによって、Ｄチャンネルの信号が選択される。
【０１９０】
尚、図１５では図１４の要部の断面のみを表しており、小基板２９０ｃ、２９０ｄ、支柱２０ａ〜２０ｄ等は図示省略している。
【０１９１】
本実施例３によれば、メイン基板に対して対向配設する４枚の小基板の配設方向に応じて、外部へ通信するための４つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０１９２】
また、４つのチャンネルの信号選択用の回路が不要となり、小基板のコストを低減することができる。
【０１９３】
尚本実施例３では、Ａ〜Ｄチャンネル用の基板間コネクタ４３０Ａ〜４３０Ｄの長軸状のピン（４３３Ａ-1…４３３Ｄ-8）の長さを、接続対象となる各小基板までの距離に合わせているので、各小基板は小基板２９０ａ〜２９０ｄの順番で積み重ねるものとする。
【実施例４】
【０１９４】
本実施例４では、ＳＭＤタイプの基板間コネクタを使用したメイン基板上に積層する３枚以上の小基板の取付け方向によって、メイン基板からの３チャンネルの信号を選択できるように構成した。
【０１９５】
図１６はメイン基板の構成を示し、図１７は小基板の構成を示し、図１８はメイン基板と小基板の積み重ね構造を示し、図１９は図１８の要部のみの断面を示している。
【０１９６】
これらの図において、図７〜図１０と同一部分は同一符号をもって示している。基板間コネクタがＳＭＤタイプで、小基板を３枚以上重ねる場合は、小基板の枚数以上の基板間コネクタを搭載する。
【０１９７】
図１６は４個の基板間コネクタ（ＳＭＤタイプ）を搭載したメイン基板３８０の構成例を示している。各基板間コネクタ５３０Ａ〜５３０Ｄは図７〜図１０の基板間コネクタ３３０Ａ，３３０Ｂと同様に構成され、該コネクタ５３０Ａ〜５３０Ｄと基板の取付け穴３８３ａ〜３８３ｄは、メイン基板３８０の回転中心点を基準に回転対称した位置に配設している。
【０１９８】
メイン基板３８０における基板間コネクタの搭載数はｎ回対称のｎ数以下まで搭載可能である（第１〜第ｎチャンネル用コネクタ；ｎ数未満の場合は一部を未配置とする）。図１６の例では９０度毎に回転対称した位置となっており、４回対称であり、基板間コネクタ数は４個（４チャンネル）まで搭載可能である。
【０１９９】
各チャンネルの基板間コネクタのピンアサイン（１ピン〜８ピン）は同一の並びとなるようにしている。
【０２００】
前記基板間コネクタ５３０Ａ〜５３０Ｄは、前記図１０の基板間コネクタ３３０Ａと同様に、コネクタ本体５３１と、はんだ付け用ピン（信号接続用ピン）５３３-1〜５３３-8と、凹型形状のコネクタ接触部５３４とを各々備えている。
【０２０１】
小基板の構成を示す図１７において、小基板３９０（３９０ａ〜３９０ｄ）内の外部通信コネクタ７０と接続する基板間コネクタ（外部通信接続用コネクタ５４０ｘ）は基板表面のみに搭載する。
【０２０２】
その他の基板間コネクタは、上階の小基板に信号を中継するために表面と裏面の両方に搭載し、その中継用下側コネクタ５４０ｄ-1〜５４０ｄ-3と中継用上側コネクタ５４０ｕ-1〜５４０ｕ-3のピンは全て同じピン番号同士で結線されている。
【０２０３】
外部通信接続用コネクタ５４０ｘは図１０の外部通信接続用コネクタ３４０ｘと同様に構成され、中継用下側コネクタ５４０ｄ-1〜５４０ｄ-3は図１０の中継用下側コネクタ３４０ｄと同様に構成され、中継用上側コネクタ５４０ｕ-1〜５４０ｕ-3は図１０の中継用上側コネクタ３４０ｕと同様に構成されている。
【０２０４】
前記コネクタ５４０ｘ、５４０ｄ-1〜５４０ｄ-3は、図１０のコネクタ３４０ｘ、３４０ｄと同様に、コネクタ本体（５４１）と、はんだ付け用ピン（５４３-1〜５４３-8）と、凸型形状のコネクタ接触部（５４４）とを各々備えている。前記コネクタ５４０ｕ-1〜５４０ｕ-3は図１０のコネクタ３４０ｕと同様に、コネクタ本体（５４１ｕ）と、はんだ付け用ピン（５４３ｕ-1〜５４３ｕ-8）と、凹型形状のコネクタ接触部（５４４ｕ）とを各々備えている。
【０２０５】
外部通信接続用コネクタ５４０ｘおよび中継用下側コネクタ５４０ｄ-1〜５４０ｄ-3は、小基板３９０の裏面において、小基板の回転中心点を基準に回転対称に設けられ、メイン基板３８０の前記コネクタ５３０Ａ〜５３０Ｄと同一の位置に配設されている。
【０２０６】
外部通信接続用コネクタ５４０ｘのはんだ付け用ピン５４３ｘ-1〜５４３ｘ-8は、図１０と同様に、表裏接続用スルーホール１９１-1〜１９１-8、導体配線１９２ｄ、１９２ｕを介して外部通信コネクタ７０に接続されている（図１９）。
【０２０７】
小基板３９０の表面の中継用上側コネクタ５４０ｕ-1〜５４０ｕ-3は、裏面の中継用下側コネクタ５４０ｄ-1〜５４０ｄ-3と同一位置に配設され、図１０と同様に表裏接続用スルーホール１９１-1〜１９１-8を介して接続されている（図１９）。
【０２０８】
小基板３９０の四隅に設けられる取付け用穴３９３ａ〜３９３ｄも小基板３９０の回転中心点を基準とした回転対称で、且つメイン基板３８０の取付け用穴３８３ａ〜３８３ｄと同じ位置に設けられている。
【０２０９】
図１８のように、各基板が積み重ねられた状態において、外部通信コネクタ７０に導体配線９２ｕ，９２ｄを介して接続される、小基板３９０ａの外部通信接続用コネクタ５４０ｘのはんだ付け用ピン５４３ｘ-1〜５４３ｘ-8が、メイン基板３８０のＡチャンネル用の基板間コネクタ５３０Ａのピン５３３-1〜５３３-8に各々接続されることによって、小基板３９０ａはＡチャンネルの信号が選択される。その他のチャンネルの信号は上階へ中継される。
【０２１０】
その上の小基板３９０ｂでは、外部通信接続用コネクタ５４０ｘのはんだ付け用ピン５４３ｘ-1〜５４３ｘ-8が、小基板３９０ａの中継用上側コネクタ５４０ｕ-1および中継用下側コネクタ５４０ｄ-1を介してメイン基板３８０のＢチャンネル用の基板間コネクタ５３０Ｂのピン５３３-1〜５３３-8に各々接続されることによって、Ｂチャンネルの信号が選択される。その他のチャンネルの信号は上階へ中継される。
【０２１１】
その上の小基板３９０ｃでは、外部通信接続用コネクタ５４０ｘのはんだ付け用ピン５４３ｘ-1〜５４３ｘ-8が、小基板３９０ｂの中継用上側コネクタ５４０ｕ-1および中継用下側コネクタ５４０ｄ-1、小基板３９０ａの中継用上側コネクタ５４０ｕ-2および中継用下側コネクタ５４０ｄ-2を介してメイン基板３８０のＣチャンネル用の基板間コネクタ５３０Ｃのピン５３３-1〜５３３-8に各々接続されることによって、Ｃチャンネルの信号が選択される。その他のチャンネルの信号は上階へ中継される。
【０２１２】
最上階の小基板３９０ｄでは、外部通信接続用コネクタ５４０ｘのはんだ付け用ピン５４３ｘ-1〜５４３ｘ-8が、小基板３９０ｃの中継用上側コネクタ５４０ｕ-1および中継用下側コネクタ５４０ｄ-1、小基板３９０ｂの中継用上側コネクタ５４０ｕ-2および中継用下側コネクタ５４０ｄ-2、小基板３９０ａの中継用上側コネクタ５４０ｕ-3および中継用下側コネクタ５４０ｄ-3を介してメイン基板３８０のＤチャンネル用の基板間コネクタ４３０Ｄのピン４３３-1〜４３３-8に各々接続されることによって、Ｄチャンネルの信号が選択される。
【０２１３】
尚、図１５では図１４の要部の断面のみを表しており、小基板２９０ｃ、２９０ｄ、支柱２０ａ〜２０ｄ等は図示省略している。
【０２１４】
本実施例４によれば、メイン基板に対して対向配設するｎ枚、例えば４枚の小基板の配設方向に応じて、外部へ通信するための４つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０２１５】
また、４つのチャンネルの信号選択用の回路が不要となり、小基板のコストを低減することができる。
【０２１６】
尚、本実施例４では、実施例２と同様に小基板３９０ａ〜３９０ｄの積み重ね順序に制限はなく、小基板を追加する場合も既存の小基板を取外す必要はない。
【実施例５】
【０２１７】
本実施例５では、回転対称性（本例では４回対称）を持ったＴＭＤタイプのコ基板間ネクタを使用し、メイン基板上に積層する３枚以上（本例では４枚）の小基板の取付け方向によって、メイン基板からの３チャンネル以上（本例では４チャンネル）の信号を選択できるように構成した。
【０２１８】
図２０は回転対称性を持ったメイン基板用コネクタ、小基板用コネクタを示し、図２１は各基板とコネクタの配置を表し、図２２はメイン基板用の基板間コネクタのピンアサインを示し、図２３は小基板用の基板間コネクタのピンアサインを示し、図２４はメイン基板と小基板の積み重ね構造を示している。
【０２１９】
図２０（ａ）〜（ｃ）のメイン基板用の基板間コネクタ６３０は、プラスチック等の絶縁物から成る円筒体形状のコネクタ本体６３１と、該コネクタ本体６３１内を貫通して固設された金属導体から成るピン（信号接続用ピン）６３３Ａ-1〜６３３Ａ-8、６３３Ｂ-1〜６３３Ｂ-8、６３３Ｃ-1〜６３３Ｃ-8、６３３Ｄ-1〜６３３Ｄ-8とを備えている。
【０２２０】
このピン６３３Ａ-1…６３３Ｄ-8の一端側はメイン基板２８０に実装可能な程度に短い金属導体となっており、図５、図１５と同様にメイン基板２８０に設けられたスルーホール（銅めっきされた穴）８１-1〜８１-8にはんだ付け固定されている。
【０２２１】
ピン６３３Ａ-1〜６３３Ｄ-8の他端側は、接続の対象となる小基板２９０（２９０ａ〜２９０ｄ）に接続可能なように長軸状に形成されている。
【０２２２】
このピン６３３Ａ-1…６３３Ｄ-8の他端長軸部分は、図５、図１５と同様にコネクタ接続部として作用する。
【０２２３】
上記構成の基板間コネクタ６３０は、図２１に示すようにメイン基板２８０の回転中心点の中央に配設されている。メイン基板２８０の四隅の取付け穴２８３ａ〜２８３ｄも回転中心点を基準に回転対称した位置に設けられている。
【０２２４】
また、後述する小基板用の基板間コネクタ６４０も図２１のように小基板２９０の回転中心点の中央に配設され、小基板２９０の四隅の取付け穴２９３ａ〜２９３ｄも回転中心点を基準に回転対称した位置に設けられている。
【０２２５】
尚、図２１では、小基板に搭載される外部通信コネクタ（７０）は図示省略している。
【０２２６】
基板間コネクタ６３０は、図２２に示すようにＡチャンネル〜Ｄチャンネル用の４つのコネクタ（第１〜第ｎチャンネル用コネクタ）で構成され、各チャンネルのコネクタのピンアサイン（１〜８）は、信号チャンネル毎に回転対称した配置となっている。
【０２２７】
小基板用の基板間コネクタ６４０は、図２３に示すように、プラスチック等の絶縁物から成る円筒体形状のコネクタ本体６４１を有し、図２２のＡ〜Ｄチャンネル用のコネクタに対応してコネクタ領域６５１〜６５４（第１〜第ｎコネクタ領域）が形成されている。
【０２２８】
基板間コネクタ６３０を配設したメイン基板２８０上に小基板２９０（２９０ａ〜２９０ｄ）対向配設（積層）した場合の、図２２のＡ〜Ｄチャンネル用のコネクタの配置に各々対応する前記コネクタ領域６５１〜６５４には、Ａ〜Ｄチャンネル用のコネクタの各信号接続用のピン６３３Ａ-1…６３３Ｄ-8の他端が挿通される貫通穴９４-1〜９４-8が各々設けられている。したがって、小基板用の基板間コネクタ６４０のピンアサインもメイン基板用の基板間コネクタ６３０のピンアサインと同一に構成されている。
【０２２９】
前記コネクタ領域６５２、６５３、６５４は貫通穴９４-1〜９４-8のみの構成であるため、この領域（６５２〜６５４）の貫通穴を通る前記ピン（６３３Ａ-1…６３３Ｄ-8）は接続されず、信号は図１５と同様に他の階の小基板の基板間コネクタ（６４０）に中継されるだけである。
【０２３０】
前記コネクタ領域６５１は、図１５と同様のコネクタ接続部を備えている。すなわち、図１５と同様に、メイン基板用の基板間コネクタ６３０の１つのチャンネル用のコネクタの前記ピン（６３３Ａ-1〜６３３Ａ-8又は６３３Ｂ-1〜６３３Ｂ-8又は６３３Ｃ-1〜６３３Ｃ-8又は６３３Ｄ-1〜６３３Ｄ-8）と同数の短いピン状の金属導体から成る、小基板２９０（２９０ａ〜２９０ｄ）へのはんだ付け用ピン（図１５の４４３-1〜４４３-8と同様の６６３-1〜６６３-8（図２２〜図２４では図示省略）；信号接続用ピン）を備え、それらの各一端は、小基板２９０に設けられたスルーホール（銅めっきされた穴）９１-1〜９１-8に各々はんだ付け固定されている。
【０２３１】
スルーホール９１-1〜９１-8は小基板２９０の両面に設けられた導体配線９２ｕ，９２ｄを介して外部通信コネクタ７０に各々電気的に接続されている。
【０２３２】
前記はんだ付け用ピン（６６３-1〜６６３-8）の各他端は折り曲げられてコネクタ本体６４１内の穴形状接続部（図１５の４４２-1〜４４２-8と同様の６７２-1〜６７２-8；図２２〜図２４では図示省略）に各々電気的に接続されている。
【０２３３】
前記ピン６３３Ａ-1…６３３Ｄ-8の長軸側の他端部位は基板間コネクタ６３０のコネクタ接続部（オス側）を構成し、穴形状接続部（６７２-1〜６７２-8）は基板間コネクタ６４０のコネクタ接続部（メス側）を構成している。
【０２３４】
メイン基板２８０上に図２４のように所定距離づつ隔てて積層され対向配設される４枚の小基板２９０ａ〜２９０ｄは、基板の回転中心点を基準として、基板の面方向に互いに９０°づつ異なる方向に配設されている。
【０２３５】
図２４のように、各基板が積み重ねられた状態において、外部通信コネクタ７０に導体配線９２ｕ，９２ｄを介して接続される、小基板２９０ａの基板間コネクタ６４０のコネクタ領域６５１のはんだ付け用ピン（図１５の４４２-1〜４４２-8と同様の６７２-1〜６７２-8）が、メイン基板２８０の基板間コネクタ６３０内のＡチャンネル用のコネクタのピン６３３Ａ-1〜６３３Ａ-8に各々接続されることによって、小基板２９０ａはＡチャンネルの信号が選択される。その他のチャンネルの信号はコネクタ領域６５２〜６５４を介して上階へ中継される。
【０２３６】
その上の小基板２９０ｂでは、基板間コネクタ６４０のコネクタ領域６５１のはんだ付け用ピン（図１５の４４２-1〜４４２-8と同様の６７２-1〜６７２-8）が、メイン基板２８０の基板間コネクタ６３０内のＢチャンネル用のコネクタのピン６３３Ｂ-1〜６３３Ｂ-8に各々接続されることによって、Ｂチャンネルの信号が選択される。その他のチャンネルの信号はコネクタ領域６５２〜６５４を介して上階へ中継される。
【０２３７】
その上の小基板２９０ｃでは、基板間コネクタ６４０のコネクタ領域６５１のはんだ付け用ピン（図１５の４４２-1〜４４２-8と同様の６７２-1〜６７２-8）が、メイン基板２８０の基板間コネクタ６３０内のＣチャンネル用のコネクタのピン６３３Ｃ-1〜６３３Ｃ-8に各々接続されることによって、Ｃチャンネルの信号が選択される。その他のチャンネルの信号はコネクタ領域６５２〜６５４を介して上階へ中継される。
【０２３８】
最上階の小基板２９０ｄでは、基板間コネクタ６４０のコネクタ領域６５１のはんだ付け用ピン（図１５の４４２-1〜４４２-8と同様の６７２-1〜６７２-8）が、メイン基板２８０の基板間コネクタ６３０内のＤチャンネル用のコネクタのピン６３３Ｄ-1〜６３３Ｄ-8に各々接続されることによって、Ｄチャンネルの信号が選択される。
【０２３９】
尚、図２４の構成では、例えばＡチャンネルの場合、基板間コネクタ６３０のピン６３３Ａ-1〜６３３Ａ-8の、小基板２９０ａの基板間コネクタ６４０のコネクタ領域６５１の箇所（すなわち信号接続のある箇所）から最上階側端部までの部位が不要なアンテナとして作用し、図１３で述べた問題が解決されない恐れがある。このため、低速な信号など、信号品質やＥＭＣに影響を与えない範囲で使用する必要がある。
【０２４０】
本実施例５によれば、メイン基板に対して対向配設する４枚の小基板の配設方向に応じて、外部へ通信するための４つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０２４１】
尚、本実施例５では、各基板の積層順序には制限がなく、小基板を追加する際、既設の小基板は取外さずに、追加小基板を積層するだけでよいので、装置の製作工程が簡略化される。
【実施例６】
【０２４２】
本実施例６では、回転対称性（本例では４回対称）を持ったＳＭＤタイプの基板間コネクタを使用し、メイン基板上に積層する３枚以上（本例では４枚）の小基板の取付け方向によって、メイン基板からの３チャンネル以上（本例では４チャンネル）の信号を選択できるように構成した。
【０２４３】
図２５（ａ）は回転対称性を持った、メイン基板用の基板間コネクタ７３０、小基板用上側コネクタ７４０ｕ（小基板表面用の基板間コネクタ）の外形を示し、図２５（ｂ）は小基板用下側コネクタ７４０ｄ（小基板裏面用の基板間コネクタ）の外形を示し、図２６はメイン基板３８０、小基板３９０と前記各コネクタ７３０，７４０ｕ，７４０ｄの配置を示している。
【０２４４】
図２７はメイン基板用の基板間コネクタ７３０のピンアサインを示し、図２８（ａ）は小基板用下側コネクタ７４０ｄのピンアサイン、図２８（ｂ）は小基板用上側コネクタ７４０ｕのピンアサインを示し、図２９は小基板における外部通信コネクタ７０、小基板用下側コネクタ７４０ｄ、小基板用上側コネクタ７４０ｕの接続状態を示している。図３０はメイン基板と小基板の積み重ね構造を示し、図３１は、基板間コネクタ７３０、小基板用下側コネクタ７４０ｄ、小基板用上側コネクタ７４０ｕの積み重ね時のコネクタ接触部を示し、図３２は、基板間コネクタ７３０、小基板用下側コネクタ７４０ｄ、小基板用上側コネクタ７４０ｕの積み重ね時の要部断面を示している。
【０２４５】
図２５（ａ）のメイン基板用の基板間コネクタ７３０は、プラスチック等の絶縁物から成る円筒体形状のコネクタ本体７３１内の一部を貫通して固設された金属導体から成るはんだ付け用ピン（信号接続用ピン）（後述の７３３Ａ-1〜７３３Ａ-8、７３３Ｂ-1〜７３３Ｂ-8、７３３Ｃ-1〜７３３Ｃ-8、７３３Ｄ-1〜７３３Ｄ-8）を備えている。
【０２４６】
前記はんだ付け用ピンの各一端は、メイン基板３８０の表面に設けられたパッドを介して基板表面の導体配線と接続され、各他端は、コネクタ本体７３１の図示上端部に凹型形状に形成されたコネクタ接触部７３４に各々接続（各々別個に電気的に接触）されている。
【０２４７】
図２５（ａ）の小基板用上側コネクタ７４０ｕは、プラスチック等の絶縁物から成る円筒体形状のコネクタ本体７４１ｕ内の一部を貫通して固設された金属導体から成るはんだ付け用ピン（信号接続用ピン）（後述の７４８ｕ-1〜７４８ｕ-8、７４９ｕ-1-1〜７４９ｕ-1-8、７４９ｕ-2-1〜７４９ｕ-2-8、７４９ｕ-3-1〜７４９ｕ-3-8）を備えている。
【０２４８】
前記はんだ付け用ピンの各一端は、小基板３９０の表面に設けられたパッドを介して基板表面の導体配線と接続され、各他端は、コネクタ本体７４１ｕの図示上端部に凹型形状に形成されたコネクタ接触部７４４ｕに各々接続（各々別個に電気的に接触）されている。但し、前記はんだ付け用ピンのうち、後述の未接続用コネクタ領域７４８ｕのはんだ付け用ピン７４８ｕ-1〜７４８ｕ-8の各他端のみ、コネクタ接触部７４４ｕと接続されていない。
【０２４９】
図２５（ｂ）の小基板用下側コネクタ７４０ｄは、プラスチック等の絶縁物から成る円筒体形状のコネクタ本体７４１ｄ内の一部を貫通して固設された金属導体から成るはんだ付け用ピン（信号接続用ピン）（後述の７４８ｄ-1〜７４８ｄ-8、７４９ｄ-1-1〜７４９ｄ-1-8、７４９ｄ-2-1〜７４９ｄ-2-8、７４９ｄ-3-1〜７４９ｄ-3-8）を備えている。
【０２５０】
前記はんだ付け用ピンの各一端は、小基板３９０の裏面に設けられたパッドを介して基板裏面の導体配線と接続され、各他端は、コネクタ本体７４１ｄの図示上端部に凸型形状に形成されたコネクタ接触部７４４ｄに各々接続（各々別個に電気的に接触）されている。
【０２５１】
上記構成のメイン基板の基板間コネクタ７３０、小基板用上側コネクタ７４０ｕ、小基板用下側コネクタ７４０ｄは、図２６のように、メイン基板３８０、小基板３９０の各回転中心点の中央に各々配設されている。
【０２５２】
また、メイン基板３８０の四隅の取付け穴３８３ａ〜３８３ｄ、小基板３９０の四隅の取付け穴３９３ａ〜３９３ｄも、各基板の回転中心点を基準に回転対称した位置に設けられている。尚、小基板３９０に搭載される外部通信コネクタ７０は図示省略している。
【０２５３】
メイン基板用の基板間コネクタ７３０は、図２７に示すように、Ａチャンネル〜Ｄチャンネル用の４つのコネクタ（第１〜第ｎチャンネル用コネクタ）で構成され、各チャンネルのコネクタの（はんだ付け用ピンの）ピンアサイン（１〜８）は、信号チャンネル毎に回転対称した配置となっている。
【０２５４】
小基板用下側コネクタ７４０ｄのピンアサインは図２８（ａ）に示すようにメイン基板用の基板間コネクタ７３０のピンアサイン（図２７）と同様に配列され、前記コネクタ７３０のＡチャンネル〜Ｄチャンネル用コネクタのうち、いずれか１つのコネクタに対応する領域（本例ではＡチャンネル用コネクタに対応する領域）を外部通信接続用コネクタ領域７４８ｄとし、それ以外の領域を中継用コネクタ領域７４９ｄ-1〜７４９ｄ-3としている。
【０２５５】
小基板用上側コネクタ７４０ｕのピンアサインは図２８（ｂ）に示すようにメイン基板用の基板間コネクタ７３０のピンアサイン（図２７）と同様に配列され、前記コネクタ７３０のＡチャンネル〜Ｄチャンネル用コネクタのうち、いずれか１つのコネクタに対応する領域（本例ではＡチャンネル用コネクタに対応する領域）であり、小基板用下側コネクタ７４０ｄの外部通信接続用コネクタ領域に対応する領域を未接続用コネクタ領域７４８ｕとし、それ以外の領域を中継用コネクタ領域７４９ｕ-1〜７４９ｕ-3としている。
【０２５６】
前記各コネクタの接続関係を示す図２９において、小基板用下側コネクタ７４０ｄの外部通信接続用コネクタ領域７４８ｄの各ピン（はんだ付け用ピン）は、小基板の導体配線を介して外部通信コネクタ７０に接続されている。
【０２５７】
小基板用上側コネクタ７４０ｕの、前記外部通信接続用コネクタ領域７４８ｄに対応する未接続用コネクタ領域７４８ｕの各ピンは、各ピンの他端が、前述したようにコネクタ接触部７４４ｕに接続されていないため、「未接続」である。
【０２５８】
小基板用下側コネクタ７４０ｄの中継用コネクタ領域７４９ｄ-1〜７４９ｄ-3と、それら領域に各々対応する小基板用上側コネクタ７４０ｕの中継用コネクタ領域７４９ｕ-1〜７４９ｕ-3とは、小基板の後述する表裏接続用スルーホールおよび導体配線を介して各々接続されている。
【０２５９】
メイン基板３８０上に図３０のように所定距離づつ隔てて積層され対向配設される４枚の小基板３９０ａ〜３９０ｄは、基板の回転中心点を基準として、基板の面方向に互いに９０°づつ異なる方向に配設されている。
【０２６０】
次に、前記各コネクタ７３０、７４０ｄ、７４０ｕの接続状態、各ピン（はんだ付け用ピン）とメイン基板３８０、小基板３９０ａの接続構造を図３１、図３２とともに説明する。図３１、図３２は、図３０のように積層された装置における、メイン基板３８０、基板間コネクタ７３０、小基板用下側コネクタ７４０ｄ、小基板３９０ａ、小基板用上側コネクタ７４０ｕの部分のみを表し、図２７のＣチャンネルの４ピンと５ピンの間の点と、Ａチャンネルの５ピンと４ピンの間の点とを結ぶ線に沿って切断した断面を示している。
【０２６１】
図３１は、前記各コネクタ７３０、７４０ｄ、７４０ｕの接続状態のみを明示するものであり、その他の部分は図示省略しており、図３２は接続構造のみを明示するものであり、その他の部分は図示省略している。
【０２６２】
これらの図において、メイン基板３８０、小基板３９０ａの構造に関して、図１９と同一部分は同一符号をもって示している。
【０２６３】
メイン基板３８０の基板間コネクタ７３０は、プラスチック等の絶縁物から成る円筒体形状のコネクタ本体７３１内の一部を慣通して固設された金属導体から成るはんだ付け用ピン７３３Ａ-1〜７３３Ａ-8、７３３Ｂ-1〜７３３Ｂ-8、７３３Ｃ-1〜７３３Ｃ-8、７３３Ｄ-1〜７３３Ｄ-8を備えている。
【０２６４】
このはんだ付け用ピン７３３Ａ-1…７３３Ｄ-8の各一端は、メイン基板３８０の表面に設けられたパッド１８７Ａ-1…１８７Ｄ-8に合う大きさで、メイン基板３８０と並行方向に曲げられ、パッド１８７Ａ-1…１８７Ｄ-8にはんだ付け固定されている。パッド１８７Ａ-1…１８７Ｄ-8は基板表面の導体配線１８２ｕと接続されている。
【０２６５】
基板間コネクタ７３０のコネクタ本体７３１の基板配設面と反対側の端部には、１階層上に配設される基板間コネクタと接続できるように、コネクタ本体７３１の端部を凹型形状に形成した、電気的接触が可能なコネクタ接触部７３４が形成されている。
【０２６６】
このコネクタ接触部７３４は、はんだ付け用ピン７３３Ａ-1…７３３Ｄ-8の各他端が各々別個に電気的に接触するように構成されている。
【０２６７】
１８１は、メイン基板３８０の表面の前記各ピン毎の導体配線１８２ｕと裏面の導体配線１８２ｄとを接続する表裏接続用スルーホールである。
【０２６８】
次に、小基板３９０ａの裏面には、メイン基板側の前記コネクタ７３０と対向する位置に小基板用下側コネクタ７４０ｄが配設されている。
【０２６９】
中継用下側コネクタ７４０ｄは、プラスチック等の絶縁物から成る円筒体形状のコネクタ本体７４１ｄ内の一部を慣通して固設された金属導体から成るはんだ付け用ピン（信号接続用ピン）７４８ｄ-1〜７４８ｄ-8、７４９ｄ-1-1〜７４９ｄ-1-8、７４９ｄ-2-1〜７４９ｄ-2-8、７４９ｄ-3-1〜７４９ｄ-3-8を備えている。
【０２７０】
このはんだ付け用ピン７４８ｄ-1〜７４８ｄ-8、７４９ｄ-1-1…７４９ｄ-3-8の各一端は、小基板３９０ａの裏面に設けられたパッド１９７ｄ-1〜１９７ｄ-8、１９７ｄ-1-1〜１９７ｄ-1-8、１９７ｄ-2-1〜１９７ｄ-2-8、１９７ｄ-3-1〜１９７ｄ-3-8に合う大きさで、小基板３９０ａと並行方向に曲げられ、該パッドにはんだ付け固定されている。パッド１９７ｄ-1〜１９７ｄ-8、１９７ｄ-1-1…１９７ｄ-3-8は基板裏面の導体配線１９２ｄと接続されている。
【０２７１】
小基板用下側コネクタ７４０ｄのコネクタ本体７４１ｄの基板配設面と反対側の端部には、１階層下に配設される基板間コネクタと接続できるように、コネクタ本体７４１ｄの端部を凸型形状に形成した、電気的接触が可能なコネクタ接触部７４４ｄが形成されている。
【０２７２】
このコネクタ接触部７４４ｄは、はんだ付け用ピン７４８ｄ-1〜７４８ｄ-8、７４９ｄ-1-1…７４９ｄ-3-8の各他端が各々別個に電気的に接触するように構成されている。
【０２７３】
この凸型形状のコネクタ接触部７４４ｄが、直下のメイン基板３８０側の基板間コネクタ７３０の凹型形状のコネクタ接触部７３４に嵌着し、両者が電気的に接続されている。
【０２７４】
１９１は、小基板３９０ａの表面の導体配線１９２ｕと裏面の導体配線１９２ｄとを接続する表裏接続用スルーホールである。
【０２７５】
小基板用下側コネクタ７４０ｄの、外部通信接続用コネクタ領域７４８ｄ内のピン７４８ｄ-1〜７４８ｄ-8のみ、パッド１９７ｄ-1〜１９７ｄ-8、導体配線１９２ｕ、表裏接続用スルーホール、導体配線１９２ｕを介して外部通信コネクタ７０に接続されている。
【０２７６】
小基板用上側コネクタ７４０ｕは、プラスチック等の絶縁物から成る円筒体形状のコネクタ本体７４１ｕ内の一部を慣通して固設された金属導体から成るはんだ付け用ピン（信号接続用ピン）７４８ｕ-1〜７４８ｕ-8、７４９ｕ-1-1〜７４９ｕ-1-8、７４９ｕ-2-1〜７４９ｕ-2-8、７４９ｕ-3-1〜７４９ｕ-3-8を備えている。
【０２７７】
このはんだ付け用ピン７４８ｕ-1〜７４８ｕ-8、７４９ｕ-1-1…７４９ｕ-3-8の各一端は、小基板３９０ａの表面に設けられたパッド１９７ｕ-1〜１９７ｕ-8、１９７ｕ-1-1〜１９７ｕ-1-8、１９７ｕ-2-1〜１９７ｕ-2-8、１９７ｕ-3-1〜１９７ｕ-3-8に合う大きさで、小基板３９０ａと並行方向に曲げられ、該パッドにはんだ付け固定されている。パッド１９７ｕ-1〜１９７ｕ-8、１９７ｕ-1-1…１９７ｕ-3-8は基板表面の導体配線１９２ｕと接続されている。
【０２７８】
小基板用上側コネクタ７４０ｕのコネクタ本体７４１ｕの基板配設面と反対側の端部には、１階層上に配設される基板間コネクタと接続できるように、コネクタ本体７４１ｕの端部を凹型形状に形成した、電気的接触が可能なコネクタ接触部７４４ｕが形成されている。
【０２７９】
このコネクタ接触部７４４ｕは、はんだ付け用ピン７４９ｕ-1-1…７４９ｕ-3-8の各他端が各々別個に電気的に接触するように構成されている。
【０２８０】
尚、未接続用コネクタ領域７４８ｕのはんだ付け用ピン７４８ｕ-1〜７４８ｕ-8の他端はコネクタ接触部７４４ｕに接続されていない。
【０２８１】
他の小基板３９０ｂ〜３９０ｄとそれらに各々配設される各コネクタは小基板３９０ａとそれに配設された各コネクタと同一に構成されている。
【０２８２】
メイン基板３８０上に図３０のように所定距離づつ隔てて積層され対向配設される４枚の小基板３９０ａ〜３９０ｄは、基板の回転中心点を基準として、基板の面方向に互いに９０°づつ異なる方向に配設されている。
【０２８３】
図３０〜図３２において、メイン基板３８０とその直上に配設される小基板３９０ａとの関係においては、基板間コネクタ７３０の凹型形状のコネクタ接触部７３４に小基板用下側コネクタ７４０ｄの凸型形状のコネクタ接触部７４４ｄが嵌合し電気的に接触する。
【０２８４】
このため、メイン基板の基板間コネクタ７３０のＡチャンネル用コネクタのはんだ付け用ピン７３３Ａ-1〜７３３Ａ-8は、小基板用下側コネクタ７４０ｄの外部通信接続用コネクタ領域のピン７４８ｄ-1〜７４８ｄ-8、パッド１９７ｄ-1〜１９７ｄ-8、導体配線１９２ｄ、表裏接続用スルーホール１９１、導体配線１９２ｕを介して外部通信コネクタ７０に接続される。
【０２８５】
これによって、小基板３９０ａの外部通信コネクタ７０にはＡチャンネルの信号が接続（選択）される。その他のＢ〜Ｄチャンネルの信号は、小基板用下側コネクタ７４０ｄの中継用コネクタ領域７４９ｄ-1〜７４９ｄ-3、小基板用上側コネクタ７４０ｕの中継用コネクタ領域７４９ｕ-1〜７４９ｕ-3および各導体配線、スルーホールを介して上階へ中継される。
【０２８６】
小基板３９０ａとその直上に配設される小基板３９０ｂとの関係においては、小基板用上側コネクタ７４０ｕの凹型形状のコネクタ接触部７４４ｕに小基板用下側コネクタ７４０ｄの凸型形状のコネクタ接触部７４４ｄが嵌合し電気的に接触する。このため、メイン基板の基板間コネクタ７３０のＢチャンネル用コネクタのはんだ付け用ピン７３３Ｂ-1〜７３３Ｂ-8は、小基板３９０ａの小基板用下側コネクタ７４０ｄ、小基板用上側コネクタ７４０ｕの中継用コネクタ領域７４９ｄ-1〜７４９ｄ-3、７４９ｕ-1〜７４９ｕ-3および小基板３９０ｂの小基板用下側コネクタ７４０ｄの外部通信接続用コネクタ領域の各ピンと、前記パッド、導体配線、表裏接続用スルーホールを介して外部通信コネクタ７０に接続される。
【０２８７】
これによって、小基板３９０ｂの外部通信コネクタ７０にはＢチャンネルの信号が接続（選択）される。その他のＣ，Ｄチャンネルの信号は、各小基板３９０ａ，３９０ｂの小基板用下側コネクタ７４０ｄの中継用コネクタ領域７４９ｄ-1〜７４９ｄ-3、小基板用上側コネクタ７４０ｕの中継用コネクタ領域７４９ｕ-1〜７４９ｕ-3および各導体配線、スルーホールを介して上階へ中継される。
【０２８８】
小基板３９０ｂとその直上に配設される小基板３９０ｃとの関係においては、小基板用上側コネクタ７４０ｕの凹型形状のコネクタ接触部７４４ｕに小基板用下側コネクタ７４０ｄの凸型形状のコネクタ接触部７４４ｄが嵌合し電気的に接触する。このため、メイン基板の基板間コネクタ７３０のＣチャンネル用コネクタのはんだ付け用ピン７３３Ｃ-1〜７３３Ｃ-8は、小基板３９０ａ，３９０ｂの小基板用下側コネクタ７４０ｄ、小基板用上側コネクタ７４０ｕの中継用コネクタ領域７４９ｄ-1〜７４９ｄ-3、７４９ｕ-1〜７４９ｕ-3および小基板３９０ｃの小基板用下側コネクタ７４０ｄの外部通信接続用コネクタ領域の各ピンと、前記パッド、導体配線、表裏接続用スルーホールを介して外部通信コネクタ７０に接続される。
【０２８９】
これによって、小基板３９０ｃの外部通信コネクタ７０にはＣチャンネルの信号が接続（選択）される。その他のＤチャンネルの信号は、各小基板３９０ａ，３９０ｂ，３９０ｃの小基板用下側コネクタ７４０ｄの中継用コネクタ領域７４９ｄ-1〜７４９ｄ-3、小基板用上側コネクタ７４０ｕの中継用コネクタ領域７４９ｕ-1〜７４９ｕ-3および各導体配線、スルーホールを介して上階へ中継される。
【０２９０】
小基板３９０ｃとその直上に配設される小基板３９０ｄとの関係においては、小基板用上側コネクタ７４０ｕの凹型形状のコネクタ接触部７４４ｕに小基板用下側コネクタ７４０ｄの凸型形状のコネクタ接触部７４４ｄが嵌合し電気的に接触する。このため、メイン基板の基板間コネクタ７３０のＤチャンネル用コネクタのはんだ付け用ピン７３３Ｄ-1〜７３３Ｄ-8は、小基板３９０ａ，３９０ｂ，３９０ｃの小基板用下側コネクタ７４０ｄ、小基板用上側コネクタ７４０ｕの中継用コネクタ領域７４９ｄ-1〜７４９ｄ-3、７４９ｕ-1〜７４９ｕ-3および小基板３９０ｄの小基板用下側コネクタ７４０ｄの外部通信接続用コネクタ領域の各ピンと、前記パッド、導体配線、表裏接続用スルーホールを介して外部通信コネクタ７０に接続される。
【０２９１】
これによって、小基板３９０ｄの外部通信コネクタ７０にはＤチャンネルの信号が接続（選択）される。
【０２９２】
尚図３０では、メイン基板３８０の面の導体配線や、その他搭載される部品等は図示省略している。
【０２９３】
本実施例６によれば、メイン基板に対して対向配設するｎ枚、例えば４枚の小基板の配設方向に応じて、外部へ通信するための４つのチャンネルの信号が選択されるので、各小基板にＩＤ設定を行うことが不要になり、全く同一構成の小基板を使用することが可能となる。これによって、小基板の管理コストを削減したりＩＤの設定間違いを防止することができる。
【０２９４】
また、４つのチャンネルの信号選択用の回路が不要となり、小基板のコストを低減することができる。
【０２９５】
尚、本実施例６では、実施例５と同様に小基板３９０ａ〜３９０ｄの積み重ね順序に制限はなく、小基板を追加する場合も既存の小基板を取外す必要はない。
【符号の説明】
【０２９６】
７０…外部通信コネクタ
８１-1〜８１-16、１８１、１８１-1〜１８１-8、９１-1〜９１-16、１９１、１９１-1〜１９１-8…スルーホール
８２ｕ，８２ｄ，１８２ｕ，１８２ｄ，１９２ｕ，１９２ｄ…導体配線
９４-1〜９４-8…貫通穴
１８７-1〜１８７-8、１８７Ａ-1〜１８７Ａ-8、１８７Ｂ-1〜１８７Ｂ-8、１８７Ｃ-1〜１８７Ｃ-8、１８７Ｄ-1〜１８７Ｄ-8、１９７ｄ-1〜１９７ｄ-8、１９７ｕ-1〜１９７ｕ-8、１９７ｄ-1-1〜１９７ｄ-3-8、１９７ｕ-1-1〜１９７ｕ-3-8…パッド
２３０，２４０，３３０Ａ，３３０Ｂ，４３０Ａ〜４３０Ｄ，４４０，５３０Ａ〜５３０Ｄ，６３０，６４０，７３０…基板間コネクタ
２３３-1〜２３３-16、２４３-1〜２４３-16、３３３-1〜３３３-8、３４３ｄ-1〜３４３ｄ-8、３４３ｕ-1〜３４３ｕ-8、３４３ｘ-1〜３４３ｘ-8、４３３Ａ-1〜４３３Ｄ-8、４４３-1〜４４３-8、５３３-1〜５３３-8、５４３ｘ-1〜５４３ｘ-8、６３３Ａ-1〜６３３Ｄ-8、６６３-1〜６６３-8、７４８ｄ-1〜７４８ｄ-8、７４８ｕ-1〜７４８ｕ-8、７４９ｄ-1-1〜７４９ｄ-3-8、７４９ｕ-1-1〜７４９ｕ-3-8…はんだ付け用ピン
２３４，２４４，４３４，４４４…コネクタ接続部
２４２-1〜２４２-16、４４２-1〜４４２-8、６７２-1〜６７２-8…穴形状接続部
２８０，３８０…メイン基板
２９０、２９０ａ〜２９０ｄ、３９０、３９０ａ〜３９０ｄ…小基板
２８３ａ〜２８３ｄ、２９３ａ〜２９３ｄ、３８３ａ〜３８３ｄ、３９３ａ〜３９３ｄ…取付け用穴
３３４，３４４ｄ，３４４ｕ，３４４ｘ，７３４，７４４ｄ，７４４ｕ…コネクタ接触部
３４０ｄ、５４０ｄ-1〜５４０ｄ-3、７４０ｄ…中継用下側コネクタ
３４０ｕ、５４０ｕ-1〜５４０ｕ-3、７４０ｕ…中継用上側コネクタ
３４０ｘ、５４０ｘ…外部通信接続用コネクタ
６５１〜６５４…コネクタ領域
７４０ｄ…小基板用下側コネクタ
７４０ｕ…小基板用上側コネクタ
７４８ｄ…外部通信接続用コネクタ領域
７４８ｕ…未接続用コネクタ領域
７４９ｄ-1〜７４９ｄ-3、７４９ｕ-1〜７４９ｕ-3…中継用コネクタ領域
【図１】
2017168476.tif 000003
【図２】
2017168476.tif 000004
【図３】
2017168476.tif 000005
【図４】
2017168476.tif 000006
【図５】
2017168476.tif 000007
【図６】
2017168476.tif 000008
【図７】
2017168476.tif 000009
【図８】
2017168476.tif 000010
【図９】
2017168476.tif 000011
【図１０】
2017168476.tif 000012
【図１１】
2017168476.tif 000013
【図１２】
2017168476.tif 000014
【図１３】
2017168476.tif 000015
【図１４】
2017168476.tif 000016
【図１５】
2017168476.tif 000017
【図１６】
2017168476.tif 000018
【図１７】
2017168476.tif 000019
【図１８】
2017168476.tif 000020
【図１９】
2017168476.tif 000021
【図２０】
2017168476.tif 000022
【図２１】
2017168476.tif 000023
【図２２】
2017168476.tif 000024
【図２３】
2017168476.tif 000025
【図２４】
2017168476.tif 000026
【図２５】
2017168476.tif 000027
【図２６】
2017168476.tif 000028
【図２７】
2017168476.tif 000029
【図２８】
2017168476.tif 000030
【図２９】
2017168476.tif 000031
【図３０】
2017168476.tif 000032
【図３１】
2017168476.tif 000033
【図３２】
2017168476.tif 000034
【図３３】
2017168476.tif 000035
【図３４】
2017168476.tif 000036
【図３５】
2017168476.tif 000037
【図３６】
2017168476.tif 000038
【図３７】
2017168476.tif 000039
【図３８】
2017168476.tif 000040
【図３９】
2017168476.tif 000041
【図４０】
2017168476.tif 000042
【図４１】
2017168476.tif 000043
【図４２】
2017168476.tif 000044
【図４３】
2017168476.tif 000045
【図４４】
2017168476.tif 000046